(57)【要約】【課題】画像表示装置に文字や図画を入力する電子ペンにおいて、画像表示面から離れた位置から画像表示装置への入力を行うときの電子ペンの使い勝手を向上する。【解決手段】電子ペン５０は、可視光を受光して受光信号を発生する受光素子５４と、送信部５８と、所定の色の可視光の透過率が他の色の可視光の透過率よりも高い光学フィルタ８８とを備える。そして、電子ペン５０では、光学フィルタ８８を透過した可視光を受光素子５４が受光し、受光素子５４から出力される受光信号にもとづく送信信号を送信部５８が出力する。【選択図】図１
2014235475.tif 000002
【特許請求の範囲】
【請求項１】
可視光を受光して受光信号を発生する受光素子と、
所定の色の可視光の透過率が他の色の可視光の透過率よりも高い光学フィルタと、送信部と、を備え、
前記光学フィルタを透過した可視光を前記受光素子が受光し、
前記受光素子から出力される受光信号にもとづく送信信号を前記送信部が出力する
ことを特徴とする電子ペン。
【請求項２】
内部に空間を有する胴体部の一方の端部に備えられた集光レンズと、
前記胴体部の他方の端部に設けられ、前記空間につながる開口部と、
所定の色の可視光の透過率が他の色の可視光の透過率よりも高い光学フィルタと、を備え、
前記一方の端部から入ってくる可視光は、前記集光レンズおよび前記光学フィルタを透過する
ことを特徴とするアタッチメント。
【請求項３】
可視光を受光して受光信号を発生する受光素子と、
送信部と、
内部に空間を有する胴体部の一方の端部に備えられた集光レンズ、前記胴体部の他方の端部に設けられ前記空間につながる開口部、および所定の色の可視光の透過率が他の色の可視光の透過率よりも高い光学フィルタを備えたアタッチメントと、を備え、
前記受光素子は前記アタッチメントの前記空間に位置し、
前記光学フィルタを透過した可視光を前記受光素子が受光し、
前記受光素子から出力される受光信号にもとづく送信信号を前記送信部が出力する
ことを特徴とする電子ペン。
【請求項４】
前記受光信号にもとづき座標基準信号を発生する同期検出部と、
前記受光信号と前記座標基準信号とにもとづき位置座標を算出する座標算出部と、を備え、
前記送信部は、前記座標算出部が算出する位置座標を前記送信信号として送信する
ことを特徴とする請求項１または３に記載の電子ペン。
【請求項５】
互いに異なる色を発光する複数の副画素で構成された画素を複数備えた画像表示部を有する画像表示装置と、
可視光を受光して受光信号を発生する受光素子と光学フィルタとを有し、前記光学フィルタを透過した可視光を前記受光素子が受光する電子ペンと、を備え、
前記光学フィルタは、
所定の色を発光する副画素が発する可視光の透過率が他の色を発光する副画素が発する可視光の透過率よりも高い
ことを特徴とする画像表示システム。
【請求項６】
前記光学フィルタにおいて、所定の色を発光する副画素が発する可視光の透過率は、他の色を発光する副画素が発する可視光の透過率の５倍以上である
ことを特徴とする請求項５に記載の画像表示システム。
【請求項７】
前記画像表示装置は、
同期検出サブフィールドを含む複数の座標検出サブフィールドを発生し、
前記同期検出サブフィールドにおいて前記所定の色の副画素だけに同期検出放電を発生する
ことを特徴とする請求項５に記載の画像表示システム。
【発明の詳細な説明】
【技術分野】
【０００１】
本開示は、画像表示装置に文字や図画を入力する電子ペン、電子ペン用アタッチメント、および電子ペンを備えた画像表示システムに関する。
【背景技術】
【０００２】
画像表示装置の画像表示面に、「電子ペン」や「ライトペン」と呼ばれるペン型のポインティングデバイスを使用して、文字や図画を手書き入力することができる機能を有するものがある。
【０００３】
例えば、特許文献１には、表示画面にライトペンにより直接記入し、画面表示を行う電子黒板に関する技術が開示されている。
【０００４】
特許文献２には、プラズマディスプレイパネル上の座標位置を光センサを用いて検出するプラズマディスプレイパネルの座標位置検出装置および座標位置検出方法が開示されている。
【先行技術文献】
【特許文献】
【０００５】
【特許文献１】特開平４−１４１４９８号公報
【特許文献２】特開２００１−３１８７６５号公報
【発明の概要】
【発明が解決しようとする課題】
【０００６】
本開示は、画像表示面から離れた位置から画像表示装置への入力が可能な電子ペンにおいて、太陽光や照明光の反射光等により生じる位置座標の誤算出等の誤動作を低減することができる電子ペン、電子ペン用アタッチメント、および電子ペンを備えた画像表示システムを提供することを目的とする。
【課題を解決するための手段】
【０００７】
本開示における電子ペンは、可視光を受光して受光信号を発生する受光素子と、所定の色の可視光の透過率が他の色の可視光の透過率よりも高い光学フィルタと、送信部とを備える。そして、その光学フィルタを透過した可視光を受光素子が受光し、受光素子から出力される受光信号にもとづく送信信号を送信部が出力する。
【０００８】
本開示におけるアタッチメントは、内部に空間を有する胴体部の一方の端部に備えられた集光レンズと、胴体部の他方の端部に設けられ、空間につながる開口部と、所定の色の可視光の透過率が他の色の可視光の透過率よりも高い光学フィルタとを備える。そして、一方の端部から入ってくる可視光は、集光レンズおよび光学フィルタを透過する。
【０００９】
本開示における電子ペンは、可視光を受光して受光信号を発生する受光素子と、送信部と、内部に空間を有する胴体部の一方の端部に備えられた集光レンズ、胴体部の他方の端部に設けられ空間につながる開口部、および所定の色の可視光の透過率が他の色の可視光の透過率よりも高い光学フィルタを備えたアタッチメントとを備える。そして、受光素子はアタッチメントの空間に位置し、その光学フィルタを透過した可視光を受光素子が受光し、受光素子から出力される受光信号にもとづく送信信号を送信部が出力する。
【００１０】
本開示における電子ペンは、受光信号にもとづき座標基準信号を発生する同期検出部と、受光信号と座標基準信号とにもとづき位置座標を算出する座標算出部とを備え、送信部は、座標算出部が算出する位置座標を送信信号として送信する構成であってもよい。
【００１１】
本開示における画像表示システムは、互いに異なる色を発光する複数の副画素で構成された画素を複数備えた画像表示部を有する画像表示装置と、可視光を受光して受光信号を発生する受光素子と光学フィルタとを有し、光学フィルタを透過した可視光を受光素子が受光する電子ペンと、を備える。そして、その光学フィルタは、所定の色を発光する副画素が発する可視光の透過率が他の色を発光する副画素が発する可視光の透過率よりも高い。
【００１２】
本開示における画像表示システムの光学フィルタにおいて、所定の色を発光する副画素が発する可視光の透過率は、他の色を発光する副画素が発する可視光の透過率の５倍以上であってもよい。
【００１３】
本開示における画像表示システムにおいて、画像表示装置は、同期検出サブフィールドを含む複数の座標検出サブフィールドを発生し、同期検出サブフィールドにおいて所定の色の副画素だけに同期検出放電を発生する構成であってもよい。
【発明の効果】
【００１４】
本開示における電子ペンおよび電子ペンを備えた画像表示システムは、画像表示面から離れた位置から画像表示装置への入力を行う際に電子ペンの使い勝手を向上するのに有効である。
【図面の簡単な説明】
【００１５】
【図１】本発明の実施の形態１における画像表示システムの一構成例を概略的に示す図である。
【図２】本発明の実施の形態１における画像表示装置に用いるパネルの構造の一例を示す分解斜視図である。
【図３】本発明の実施の形態１におけるパネルに設けられた各放電セルの発光特性の一例を示す図である。
【図４】本発明の実施の形態１における画像表示装置に用いるパネルの電極配列の一例を示す図である。
【図５】本発明の実施の形態１における画像表示サブフィールドにおいてパネルの各電極に印加する駆動電圧波形の一例を概略的に示す図である。
【図６】本発明の実施の形態１における座標検出サブフィールにおいてパネルの各電極に印加する駆動電圧波形の一例を概略的に示す図である。
【図７】本発明の実施の形態１におけるアタッチメントが有するカラーフィルタの可視光透過特性の一例を示す図である。
【図８】本発明の実施の形態１における画像表示システムにおいて電子ペンを近接使用するときの位置座標検出動作の一例を説明するための駆動電圧波形の一例を示す図である。
【図９】本発明の実施の形態１における画像表示システムにおいて電子ペンを遠隔使用するときの位置座標検出動作の一例を説明するための駆動電圧波形の一例を示す図である。
【図１０】本発明の実施の形態１における電子ペンおよび電子ペン用アタッチメントの外観を示す斜視図である。
【図１１】本発明の実施の形態１における画像表示システムにおいて電子ペンを遠隔使用するときの動作の一例を概略的に示す図である。
【図１２】本発明の実施の形態１における電子ペンを遠隔使用しているときの電子ペンの受光範囲の一例を概略的に示す図である。
【図１３】本発明の実施の形態２における座標検出サブフィールにおいてパネルの各電極に印加する駆動電圧波形の一例を概略的に示す図である。
【発明を実施するための形態】
【００１６】
以下、本発明の実施の形態における電子ペンおよび画像表示システムについて、図面を用いて説明する。なお、以下の実施の形態では、一例として、本発明の実施の形態における電子ペンを、プラズマディスプレイ装置を構成要素に含む画像表示システムに用いる構成を説明する。
【００１７】
（実施の形態１）
図１は、本発明の実施の形態１における画像表示システム１００の一構成例を概略的に示す図である。
【００１８】
本実施の形態に示す画像表示システム１００は、画像表示装置３０、描画装置４０、および電子ペン５０を構成要素に含み、電子ペン５０と描画装置４０との間で無線通信を行う。図１には、１本の電子ペン５０を示しているが、画像表示システム１００は複数の電子ペン５０を備えていてもよい。
【００１９】
画像表示装置３０は、画像を表示する画像表示部、およびその画像表示部を駆動する駆動回路を備えている。画像表示部は、互いに異なる色（例えば、赤、緑、青）で発光する複数（例えば、３つ）の副画素で構成された画素を複数有する。以下、画像表示部としてプラズマディスプレイパネル（以下、「パネル」と略記する）１０を有するプラズマディスプレイ装置を画像表示装置３０として用いる例を説明する。パネル１０においては１つの放電セルが１つの副画素に対応する。なお、画像表示装置３０は、例えば、液晶パネル、有機ＥＬパネル、ＬＥＤパネル等、他のディスプレイデバイスを画像表示部に用いたものであってもよい。
【００２０】
描画装置４０は、受信部４２と描画部４６を備えている。
【００２１】
電子ペン５０は、第１の受光素子５２、第２の受光素子５４、接触スイッチ５３、複数（または単数）の手動スイッチ８３、同期検出部５６、座標算出部５７、送信部５８、アタッチメント検出スイッチ８６、および距離判定部９１を備えている。なお、図１には、手動スイッチ８３を２つ示しているが、電子ペン５０が備える手動スイッチ８３は２つに限定されない。以下、第１の受光素子、第２の受光素子をそれぞれ単に「受光素子」とも記す。
【００２２】
また、本実施の形態における電子ペン５０は、集光レンズ８４を備えた電子ペン用アタッチメント（以下、単に「アタッチメント」と記す）８０を着脱可能に装着することができる。アタッチメント８０は、集光レンズ８４の前面側（光を取込む側）に、所定の色の可視光に関して、他の色の可視光よりも透過率が高い光学フィルタを有する。以下、この光学フィルタをカラーフィルタ８８と記す。すなわち、カラーフィルタ８８は、所定の色の可視光を、他の色の可視光よりも高い透過率で透過する。
【００２３】
以下、まず、画像表示装置３０について図１、図２、図３、図４を用いて説明し、次に画像表示装置３０で発生する駆動電圧波形について図５、図６を用いて説明し、次に電子ペン５０、描画装置４０について説明する。
【００２４】
図１に示すように、画像表示装置３０は、駆動回路として、画像信号処理回路３１、データ電極駆動回路３２、走査電極駆動回路３３、維持電極駆動回路３４、タイミング発生回路３５、および各回路ブロックに必要な電源を供給する電源回路（図示せず）を備えている。そして、これらの駆動回路によりパネル１０が駆動される。
【００２５】
図２は、本発明の実施の形態１における画像表示装置３０に用いるパネル１０の構造の一例を示す分解斜視図である。
【００２６】
ガラス製の前面基板１１上には、走査電極１２と維持電極１３とからなる表示電極対１４が複数形成され、表示電極対１４を覆うように誘電体層１５が形成され、その誘電体層１５上に保護層１６が形成されている。前面基板１１は画像が表示される画像表示面となる。
【００２７】
背面基板２１上にはデータ電極２２が複数形成され、データ電極２２を覆うように誘電体層２３が形成され、さらにその上に井桁状の隔壁２４が形成されている。隔壁２４の側面および誘電体層２３の表面には蛍光体層２５（赤色（Ｒ）に発光する蛍光体層２５Ｒ、緑色（Ｇ）に発光する蛍光体層２５Ｇ、および青色（Ｂ）に発光する蛍光体層２５Ｂ）が設けられている。
【００２８】
これら前面基板１１と背面基板２１とを、放電空間を挟んで表示電極対１４とデータ電極２２とが交差するように対向配置し、その放電空間に放電ガスを封入する。
【００２９】
パネル１０において、赤色を発光する放電セル、緑色を発光する放電セル、青色を発光する放電セルの各放電セルは、例えば、図３に示す発光特性を有する。図３は、本発明の実施の形態１におけるパネル１０に設けられた各放電セルの発光特性の一例を示す図である。図３において、縦軸は発光強度（明るさ）を表し、横軸は発光の波長を表す。
【００３０】
図３に示す例では、青色を発光する放電セル（以下、「青の放電セル」とも記す）は４５０ｎｍに、緑色を発光する放電セル（以下、「緑の放電セル」とも記す）は５２８ｎｍに、赤色を発光する放電セル（以下、「赤の放電セル」とも記す）は５９３ｎｍ、６１２ｎｍ、６２７ｎｍのそれぞれに発光強度のピークがある。
【００３１】
図４は、本発明の実施の形態１における画像表示装置３０に用いるパネル１０の電極配列の一例を示す図である。
【００３２】
パネル１０には、第１の方向に延長されたｎ本の走査電極ＳＣ１〜ＳＣｎ（図２の走査電極１２）およびｎ本の維持電極ＳＵ１〜ＳＵｎ（図２の維持電極１３）が配列され、第１の方向に直交する第２の方向に延長されたｍ本のデータ電極Ｄ１〜Ｄｍ（図２のデータ電極２２）が配列されている。
【００３３】
以下、第１の方向を行方向（または水平方向、またはライン方向、またはｘ座標方向）と呼称し、第２の方向を列方向（または垂直方向、またはｙ座標方向）と呼称する。
【００３４】
１対の走査電極ＳＣｉ（ｉ＝１〜ｎ）および維持電極ＳＵｉと１つのデータ電極Ｄｊ（ｊ＝１〜ｍ）とが交差した領域に放電セルが１つ形成される。そして、互いに隣接する赤、緑、青の３つの放電セルが一組となって１つの画素を構成する。
【００３５】
図１に示したように、画像信号処理回路３１には、外部から入力される画像信号、描画装置４０から出力される描画信号、およびタイミング発生回路３５から供給されるタイミング信号が入力される。画像信号処理回路３１は、画像信号と描画信号とを合成し、その合成後の信号にもとづき各放電セルに赤、緑、青の各階調値（１フィールドで表現される階調値）を設定し、各階調値を、サブフィールド毎の点灯・非点灯を示す画像データ（発光・非発光をデジタル信号の「１」、「０」に対応させたデータのこと）に変換して出力する。
【００３６】
タイミング発生回路３５は、画像信号として送信されて来る信号から水平同期信号および垂直同期信号を分離し、その水平同期信号および垂直同期信号にもとづき、各回路ブロックの動作を制御する各種のタイミング信号を発生する。そして、発生したタイミング信号をそれぞれの回路ブロック（データ電極駆動回路３２、走査電極駆動回路３３、維持電極駆動回路３４、および画像信号処理回路３１等）へ供給する。
【００３７】
データ電極駆動回路３２は、画像信号処理回路３１から出力される画像データとタイミング発生回路３５から供給されるタイミング信号とにもとづいて駆動電圧波形を発生し、各データ電極Ｄ１〜Ｄｍに印加する。
【００３８】
維持電極駆動回路３４は、維持パルス発生回路、電圧Ｖｅを発生する回路（図示せず）を備え、タイミング発生回路３５から供給されるタイミング信号にもとづいて駆動電圧波形を発生し、各維持電極ＳＵ１〜ＳＵｎに印加する。
【００３９】
走査電極駆動回路３３は、傾斜波形電圧発生回路、維持パルス発生回路、走査パルス発生回路（図示せず）を備え、タイミング発生回路３５から供給されるタイミング信号にもとづいて駆動電圧波形を発生し、各走査電極ＳＣ１〜ＳＣｎに印加する。
【００４０】
次に、本実施の形態における画像表示装置３０において発生する駆動電圧波形について図５、図６を用いて説明する。
【００４１】
本実施の形態においては、１フィールドに、パネル１０に画像を表示するための複数の画像表示サブフィールド（図５に示す）と、電子ペン５０の「位置座標」を検出するための複数の座標検出サブフィールド（図６に示す）とを備える。なお、「位置座標」とは、パネル１０の画像表示領域において電子ペン５０によって示される位置の座標（電子ペン５０の位置を示す座標）のことである。
【００４２】
各画像表示サブフィールドは、初期化期間、書込み期間および維持期間を有する。以下、画像表示サブフィールドを単にサブフィールドとも記す。
【００４３】
初期化期間における初期化動作には、放電セルに強制的に初期化放電を発生する「強制初期化動作」と、直前のサブフィールドの書込み期間で書込み放電を発生した放電セルだけに選択的に初期化放電を発生する「選択初期化動作」がある。
【００４４】
なお、１フィールドの画像表示サブフィールドの数は例えば８つ（サブフィールドＳＦ１〜ＳＦ８）であり、各サブフィールドの輝度重みは例えば（１、３４、２１、１３、８、５、３、２）である。
【００４５】
図５は、本発明の実施の形態１における画像表示サブフィールドのサブフィールドＳＦ１〜ＳＦ３においてパネル１０の各電極に印加する駆動電圧波形の一例を概略的に示す図である。
【００４６】
強制初期化動作を行うサブフィールドＳＦ１の初期化期間Ｐｉ１の前半部では、データ電極Ｄ１〜Ｄｍ、維持電極ＳＵ１〜ＳＵｎのそれぞれに電圧０（Ｖ）を印加する。走査電極ＳＣ１〜ＳＣｎには、電圧０（Ｖ）を印加した後に、電圧Ｖｉ１から電圧Ｖｉ２まで緩やかに上昇する上り傾斜波形電圧を印加する。
【００４７】
初期化期間Ｐｉ１の後半部では、データ電極Ｄ１〜Ｄｍには電圧０（Ｖ）を印加し、維持電極ＳＵ１〜ＳＵｎには正の電圧Ｖｅを印加する。走査電極ＳＣ１〜ＳＣｎには、電圧０（Ｖ）から負の電圧Ｖｉ４まで緩やかに下降する下り傾斜波形電圧を印加する。
【００４８】
この強制初期化動作によって各放電セルに初期化放電が生じ、各電極上の壁電圧は、続く書込み期間Ｐｗ１での書込み動作に適した電圧に調整される。以下、初期化期間Ｐｉ１に発生する上述の駆動電圧波形を強制初期化波形とする。
【００４９】
なお、強制初期化動作において強制初期化波形を印加する放電セルは、パネル１０の画像表示領域内にある全ての放電セルであってもよいが、例えば、画像表示領域内にある一部の放電セルであってもよい。これは、以下の説明における強制初期化動作を行う全てのサブフィールドについても同様である。
【００５０】
サブフィールドＳＦ１の書込み期間Ｐｗ１では、１行目の走査電極ＳＣ１に負の電圧Ｖａの負極性の走査パルスを印加し、データ電極Ｄ１〜Ｄｍのうちの１行目において発光するべき放電セルのデータ電極Ｄｋに正の電圧Ｖｄの正極性の書込みパルスを印加する。
【００５１】
同様の書込み動作を、走査電極ＳＣ２、ＳＣ３、ＳＣ４、・・・、ＳＣｎという順番で、ｎ行目の放電セルに至るまで順次行う。
【００５２】
サブフィールドＳＦ１の維持期間Ｐｓ１では、走査電極ＳＣ１〜ＳＣｎと維持電極ＳＵ１〜ＳＵｎとに、輝度重みに所定の輝度倍数を乗じた数の維持パルスを交互に印加する。直前の書込み期間Ｐｗ１において書込み放電を発生した放電セルは、輝度重みに応じた回数の維持放電が発生し、輝度重みに応じた輝度で発光する。
【００５３】
そして、維持パルスの発生後（維持期間Ｐｓ１において維持動作が終了した後）には、維持電極ＳＵ１〜ＳＵｎおよびデータ電極Ｄ１〜Ｄｍに電圧０（Ｖ）を印加したまま、走査電極ＳＣ１〜ＳＣｎに電圧０（Ｖ）から正の電圧Ｖｒまで緩やかに上昇する上り傾斜波形電圧を印加する消去動作を行う。
【００５４】
これにより、維持放電を発生した放電セルに微弱な放電（消去放電）が発生し、放電セル内の不要な壁電荷が消去される。
【００５５】
選択初期化動作を行うサブフィールドＳＦ２の初期化期間Ｐｉ２では、データ電極Ｄ１〜Ｄｍには電圧０（Ｖ）を印加し、維持電極ＳＵ１〜ＳＵｎには正の電圧Ｖｅを印加する。走査電極ＳＣ１〜ＳＣｎには、放電開始電圧未満となる電圧（例えば、電圧０（Ｖ））から負の電圧Ｖｉ４まで下降する下り傾斜波形電圧を印加する。
【００５６】
この選択初期化動作により、直前のサブフィールドＳＦ１の維持期間Ｐｓ１に維持放電を発生した放電セルでは微弱な初期化放電が発生し、各電極上の壁電圧は、続く書込み期間Ｐｗ２での書込み動作に適した壁電圧に調整される。直前のサブフィールドＳＦ１の維持期間Ｐｓ１に維持放電を発生しなかった放電セルでは、初期化放電は発生しない。以下、初期化期間Ｐｉ２に発生する上述の駆動電圧波形を選択初期化波形とする。
【００５７】
続く書込み期間Ｐｗ２および維持期間Ｐｓ２は、維持パルスの発生数を除き、書込み期間Ｐｗ１および維持期間Ｐｓ１と同様の駆動電圧波形を各電極に印加する。
【００５８】
サブフィールドＳＦ３以降の各サブフィールドでは、維持パルスの発生数を除き、サブフィールドＳＦ２と同様の駆動電圧波形を各電極に印加する。
【００５９】
次に、座標検出サブフィールドで発生する駆動電圧波形を、図６を用いて説明する。座標検出サブフィールドは、同期検出サブフィールドＳＦｏ、近接用ｙ座標検出サブフィールドＳＦｙ１、近接用ｘ座標検出サブフィールドＳＦｘ１、遠隔用ｙ座標検出サブフィールドＳＦｙ２、および遠隔用ｘ座標検出サブフィールドＳＦｘ２の総称である。
【００６０】
なお、以下、近接用ｙ座標検出サブフィールドＳＦｙ１と遠隔用ｙ座標検出サブフィールドＳＦｙ２の総称として「ｙ座標検出サブフィールドＳＦｙ」を用い、近接用ｘ座標検出サブフィールドＳＦｘ１と遠隔用ｘ座標検出サブフィールドＳＦｘ２の総称として「ｘ座標検出サブフィールドＳＦｘ」を用いる。
【００６１】
画像表示領域内において電子ペン５０によって示される位置（以下、「電子ペン５０の位置」とも記す）は、ｘ座標とｙ座標で表される。ｘ座標検出サブフィールドＳＦｘ、ｙ座標検出サブフィールドＳＦｙは、画像表示領域内における電子ペン５０の位置（位置座標）のｘ座標、ｙ座標を検出するためのサブフィールドである。本実施の形態では、行方向の座標をｘ座標とし、列方向の座標をｙ座標としている。
【００６２】
なお、近接用ｙ座標検出サブフィールドＳＦｙ１および近接用ｘ座標検出サブフィールドＳＦｘ１は、使用者が電子ペン５０の先端部をパネル１０に直接接触させて（またはパネル１０に比較的近い位置で）使用する「近接使用」時に、電子ペン５０の位置座標の検出に用いるサブフィールドである。遠隔用ｙ座標検出サブフィールドＳＦｙ２および遠隔用ｘ座標検出サブフィールドＳＦｘ２は、使用者が電子ペン５０をパネル１０から離れた位置で使用する「遠隔使用」時に、電子ペン５０の位置座標の検出に用いるサブフィールドである。
【００６３】
なお、電子ペン５０によって示される位置とは、電子ペン５０の受光素子５２または受光素子５４が、ｘ座標検出サブフィールドＳＦｘで表示されるｘ座標検出パターンの発光およびｙ座標検出サブフィールドＳＦｙで表示されるｙ座標検出パターンの発光を検知する画像表示面内の位置のことである。
【００６４】
また、本実施の形態における画像表示システム１００では、電子ペン５０と描画装置４０との間で無線通信を行う。電子ペン５０は、電子ペン５０の内部で電子ペン５０の位置座標を算出し、算出した位置座標のデータを電子ペン５０から描画装置４０へ無線通信によって送信する。
【００６５】
同期検出サブフィールドＳＦｏは、画像表示装置３０に座標検出サブフィールドが発生するタイミングを、電子ペン５０が正確に把握するためのサブフィールドである。電子ペン５０は、同期検出サブフィールドＳＦｏで生じる発光を受光することで、画像表示装置３０と同期をとり、位置座標を算出するための基準となる信号（以下、「座標基準信号」と記す）を高い精度で発生することが可能になる。
【００６６】
なお、座標検出サブフィールドは、必ずしも毎フィールドに設けなくともよい。
【００６７】
図６は、本発明の実施の形態１における座標検出サブフィールにおいてパネル１０の各電極に印加する駆動電圧波形の一例を概略的に示す図である。
【００６８】
同期検出サブフィールドＳＦｏは、初期化期間Ｐｉｏ、書込み期間Ｐｗｏ、および同期検出期間Ｐｏを有する。
【００６９】
初期化期間Ｐｉｏでは、画像表示サブフィールドのサブフィールドＳＦ２の初期化期間Ｐｉ２と同様の駆動電圧波形を各電極に印加して同様の選択初期化動作を行うので、説明を省略する。
【００７０】
同期検出サブフィールドＳＦｏの書込み期間Ｐｗｏでは、データ電極Ｄ１〜Ｄｍには電圧０（Ｖ）を印加し、維持電極ＳＵ１〜ＳＵｎには電圧Ｖｅを印加し、走査電極ＳＣ１〜ＳＣｎには電圧Ｖｃを印加する。
【００７１】
次に、データ電極Ｄ１〜Ｄｍに電圧Ｖｄの書込みパルスを印加するとともに走査電極ＳＣ１〜ＳＣｎに電圧Ｖａの走査パルスを印加し、各放電セルに書込み放電を発生させる。
【００７２】
本実施の形態の書込み期間Ｐｗｏでは、図６に示すように、全てのデータ電極Ｄ１〜Ｄｍに書込みパルスを印加したまま、走査電極ＳＣ１から走査電極ＳＣｎまでの各電極に順次走査パルスを印加して、パネル１０の画像表示領域内にある全ての放電セルに書込み放電を発生させる。なお、書込み期間Ｐｗｏでは、例えば、全ての走査電極ＳＣ１〜ＳＣｎに一斉に走査パルスを印加して全ての放電セルに一斉に書込み放電を発生させる書込み動作を行ってもよい。
【００７３】
パネル１０の画像表示領域内にある全ての放電セルに書込み放電を発生し終えた後は、データ電極Ｄ１〜Ｄｍに電圧０（Ｖ）を印加する。また、走査電極ＳＣ１〜ＳＣｎには電圧Ｖｃを印加し、その後、電圧０（Ｖ）を印加する。本実施の形態では、時刻ｔｏ０から時間Ｔｏ０の間、この状態を維持する。この期間は、放電セルに最後の書込み放電が発生した後、放電が発生しない状態が維持される。なお、時刻ｔｏ０は、最後の書込み放電を発生させるための走査パルスを走査電極ＳＣｎに印加した時刻である。
【００７４】
そして、本実施の形態では、時間Ｔｏ０を、後述する時間Ｔｏ１、時間Ｔｏ２、時間Ｔｏ３のいずれよりも長い時間に設定する。本実施の形態では、時間Ｔｏ０は、例えば、約５０μｓｅｃである。
【００７５】
次に、同期検出サブフィールドＳＦｏの同期検出期間Ｐｏでは、電子ペン５０における位置座標算出時の基準となる複数回の発光（同期検出用の発光）をパネル１０に生じさせる。
【００７６】
図６に示す例では、時刻ｔｏ０から時間Ｔｏ０が経過した後の時刻ｔｏ１において、維持電極ＳＵ１〜ＳＵｎに電圧０（Ｖ）を印加するとともに走査電極ＳＣ１〜ＳＣｎに電圧Ｖｓｏの同期検出パルスＶ１を印加する。次に、時刻ｔｏ１から時間Ｔｏ１が経過した後の時刻ｔｏ２において、走査電極ＳＣ１〜ＳＣｎに電圧０（Ｖ）を印加するとともに維持電極ＳＵ１〜ＳＵｎに電圧Ｖｓｏの同期検出パルスＶ２を印加する。次に、時刻ｔｏ２から時間Ｔｏ２が経過した後の時刻ｔｏ３において、維持電極ＳＵ１〜ＳＵｎに電圧０（Ｖ）を印加するとともに走査電極ＳＣ１〜ＳＣｎに電圧Ｖｓｏの同期検出パルスＶ３を印加する。次に、時刻ｔｏ３から時間Ｔｏ３が経過した後の時刻ｔｏ４において、走査電極ＳＣ１〜ＳＣｎに電圧０（Ｖ）を印加するとともに維持電極ＳＵ１〜ＳＵｎに電圧Ｖｓｏの同期検出パルスＶ４を印加する。
【００７７】
これにより、パネル１０の画像表示領域内にある全ての放電セルに４回の同期検出放電が発生し、パネル１０の画像表示面の全面が４回発光する（同期検出用の発光）。
【００７８】
このように、同期検出期間Ｐｏでは、あらかじめ定められた所定の時間間隔（例えば、時間Ｔｏ１、時間Ｔｏ２、時間Ｔｏ３）で、パネル１０の画像表示領域内の全ての放電セルに同期検出放電を複数回（例えば、４回）発生させ、同期検出用の発光を複数回生じさせる。
【００７９】
そして、電子ペン５０は、あらかじめ定められた所定の時間間隔（例えば、時間Ｔｏ１、時間Ｔｏ２、時間Ｔｏ３）で発生する複数回（例えば、４回）の同期検出用の発光を受光して座標基準信号（電子ペン５０の位置座標（ｘ座標，ｙ座標）を算出する際に基準となる信号）を作成する。
【００８０】
同期検出サブフィールドＳＦｏでは、パネル１０の画像表示面の全面が同じタイミングで一斉に光るので、電子ペン５０は、パネル１０の画像表示領域内のどの位置でこの発光を受光したとしても、同じタイミングで受光することができる。
【００８１】
本実施の形態では、例えば、時間Ｔｏ１は約４０μｓｅｃであり、時間Ｔｏ２は約２０μｓｅｃであり、時間Ｔｏ３は約３０μｓｅｃである。しかし、本発明は時間Ｔｏ０〜Ｔｏ３の各時間が何ら上述した数値に限定されるものではない。各時間は画像表示システム１００の仕様等に応じて適切に設定すればよい。
【００８２】
同期検出サブフィールドＳＦｏの同期検出期間Ｐｏにおいて、同期検出パルスＶ４の発生後（同期検出期間Ｐｏの最後）には、サブフィールドＳＦ１の維持期間Ｐｓ１の最後に行う消去動作と同様の消去動作を行う。これにより、パネル１０の画像表示領域内にある全ての放電セルに微弱な消去放電が発生する。
【００８３】
続いて、近接用ｙ座標検出サブフィールドＳＦｙ１と近接用ｘ座標検出サブフィールドＳＦｘ１を発生する。
【００８４】
近接用ｙ座標検出サブフィールドＳＦｙ１は、初期化期間Ｐｉｙとｙ座標検出期間Ｐｙ１と消去期間Ｐｅｙとを有する。
【００８５】
初期化期間Ｐｉｙでは、画像表示サブフィールドのサブフィールドＳＦ２の初期化期間Ｐｉ２と同様の選択初期化動作を行う。
【００８６】
同期検出期間Ｐｏではパネル１０の画像表示領域内にある全ての放電セルに同期検出放電が発生するので、初期化期間Ｐｉｙでは、それら全ての放電セルに微弱な初期化放電が発生し、それら全ての放電セルの壁電圧が、続くｙ座標検出期間Ｐｙ１における近接用ｙ座標検出パターン表示動作に適した壁電圧に調整される。
【００８７】
近接用ｙ座標検出サブフィールドＳＦｙ１のｙ座標検出期間Ｐｙ１では、維持電極ＳＵ１〜ＳＵｎに電圧Ｖｅを印加し、データ電極Ｄ１〜Ｄｍに電圧０（Ｖ）を印加し、走査電極ＳＣ１〜ＳＣｎに電圧Ｖｃを印加する。
【００８８】
次に、時刻ｔｙ０１から期間Ｔｙ０１の後に、データ電極Ｄ１〜Ｄｍに正極性のｙ座標検出電圧Ｖｄｙを印加し、１行目の走査電極ＳＣ１に電圧Ｖａｙの負極性のｙ座標検出パルスを印加する。なお、図６では、このｙ座標検出パルスのパルス幅をＴｙ１１として示している。
【００８９】
ｙ座標検出電圧Ｖｄｙを印加したデータ電極Ｄ１〜Ｄｍと、電圧Ｖａｙのｙ座標検出パルスを印加した走査電極ＳＣ１との交差部にある１行目の放電セルでは、放電が発生する。以下、この放電を「ｙ座標検出放電」とも記す。
【００９０】
このようにして、１行目を構成する全ての放電セルに放電が発生し、それらの放電セルが一斉に発光する。そして、この発光は、電子ペン５０を近接使用するときのｙ座標検出用の発光となる。
【００９１】
以下、１つの行を構成する放電セルの集合体を「放電セル行」と記し、１つの行を構成する画素の集合体を「画素行」と記す。本実施の形態では、放電セル行と画素行とは実質的に同じものであり、上述の動作では、１行目の画素行（１行目の放電セル行）が一斉に発光する。
【００９２】
同様の動作を、データ電極Ｄ１〜Ｄｍにｙ座標検出電圧Ｖｄｙを印加したまま、走査電極ＳＣ２、走査電極ＳＣ３、・・・、走査電極ＳＣｎという順番で、ｎ行目の放電セルに至るまで順次行い、２行目からｎ行目（例えば、１０８０行目）までの各画素行（放電セル行）にｙ座標検出のための発光を順次発生させる。
【００９３】
これにより、近接用ｙ座標検出サブフィールドＳＦｙ１のｙ座標検出期間Ｐｙ１では、発光する１本の横線（すなわち、発光する１つの画素行）が、パネル１０の画像表示領域の上端部（１行目の画素行）から下端部（ｎ行目の画素行）まで１行ずつ順次移動するパターン（近接用ｙ座標検出パターン）が表示される。
【００９４】
以下、ｙ座標検出期間Ｐｙ１で発生するｘ座標方向に延長した「第１の本数」の幅の１本の発光線を、「第１の発光線」とも記す。すなわち、ｙ座標検出期間Ｐｙ１で発生する近接用ｙ座標検出パターンは、ｘ座標方向に延長した第１の発光線がｙ座標方向に順次移動する（画像表示領域の１行目からｎ行目までの各画素行が、例えば１行毎に順次発光する）パターンである。
【００９５】
ｙ座標検出期間Ｐｙ１でパネル１０に近接用ｙ座標検出パターンを表示すると、画像表示領域の１行目からｎ行目までの各画素行が、例えば１行毎に順次発光するので、電子ペン５０の先端部がパネル１０の画像表示領域内のどこに接触しているかによって、電子ペン５０がこの発光を受光するタイミングは変化する。したがって、電子ペン５０を近接使用するときには、電子ペン５０で第１の発光線を受光するタイミングを検出することで、画像表示領域における電子ペン５０の位置座標（ｘ，ｙ）のｙ座標を検出することができる。
【００９６】
本実施の形態では、ｙ座標検出期間Ｐｙ１で走査電極ＳＣ１〜ＳＣｎのそれぞれにｙ座標検出パルスを印加する時間をＴｙ１１とする。このＴｙ１１は、例えば、約１μｓｅｃである。
【００９７】
近接用ｙ座標検出サブフィールドＳＦｙ１の消去期間Ｐｅｙでは、サブフィールドＳＦ１の維持期間Ｐｓ１の最後に行う消去動作と同様の消去動作を行う。これにより、パネル１０の画像表示領域内にある全ての放電セルに微弱な消去放電が発生する。
【００９８】
続く近接用ｘ座標検出サブフィールドＳＦｘ１は、初期化期間Ｐｉｘとｘ座標検出期間Ｐｘ１と消去期間Ｐｅｘとを有する。
【００９９】
初期化期間Ｐｉｘでは、維持電極ＳＵ１〜ＳＵｎに電圧０（Ｖ）を印加したまま、近接用ｙ座標検出サブフィールドＳＦｙ１の初期化期間Ｐｉｙと同様の選択初期化動作を行う。
【０１００】
時刻ｔｘ０１に始まるｘ座標検出期間Ｐｘ１では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに負極性のｘ座標検出電圧Ｖａｘを印加する。
【０１０１】
次に、時刻ｔｘ０１から期間Ｔｘ０１の後に、走査電極ＳＣ１〜ＳＣｎにｘ座標検出電圧Ｖａｘを印加したまま、１〜３列目のデータ電極Ｄ１〜Ｄ３に電圧Ｖｄｘの正極性のｘ座標検出パルスを同時に印加する。なお、図６では、このｘ座標検出パルスのパルス幅をＴｘ１１として示している。
【０１０２】
なお、データ電極Ｄ１〜Ｄ３は、１つの画素を構成する赤の放電セル、緑の放電セル、青の放電セルに対応しており、この画素は、例えば画像表示領域の左端に配置された画素である。
【０１０３】
電圧Ｖｄｘのｘ座標検出パルスを印加したデータ電極Ｄ１〜Ｄ３と、ｘ座標検出電圧Ｖａｘを印加した走査電極ＳＣ１〜ＳＣｎとの交差部にある１〜３列目の放電セルでは、放電が発生する。以下、この放電を「ｘ座標検出放電」とも記す。
【０１０４】
このようにして、１列目を構成する全ての画素に放電が発生し、それらの画素が一斉に発光する。そして、この発光は、電子ペン５０を近接使用するときのｘ座標検出用の発光となる。
【０１０５】
以下、１つの列を構成する放電セルの集合体を「放電セル列」と記す。また、互いに隣接する３列の放電セル列で構成される放電セルの集合体（画素の列）を「画素列」と記す。上述の動作では、１列目の画素列（すなわち、１列目、２列目および３列目の放電セル列）が一斉に発光する。
【０１０６】
同様の動作を、走査電極ＳＣ１〜ＳＣｎにｘ座標検出電圧Ｖａｘを印加したまま、データ電極Ｄ４〜Ｄ６、データ電極Ｄ７〜Ｄ９、・・・、データ電極Ｄｍ−２〜Ｄｍという順番で、互いに隣接する３本のデータ電極２２毎に、ｍ列目の放電セルに至るまで順次行い、２列目から最終列目（例えば、１９２０列目）までの各画素列にｘ座標検出のための発光を順次発生させる。
【０１０７】
これにより、近接用ｘ座標検出サブフィールドＳＦｘ１のｘ座標検出期間Ｐｘ１では、発光する１本の縦線（すなわち、発光する１つの画素列）が、パネル１０の画像表示領域の左端部（１列目の画素列）から右端部（ｍ／３列目の画素列）まで１列ずつ順次移動するパターン（近接用ｘ座標検出パターン）が表示される。すなわち、この近接用ｘ座標検出パターンは、画像表示領域の１列目から最終列目までの各画素列が、１列毎に順次発光するパターンである。言い換えると、この近接用ｘ座標検出パターンとは、互いに隣接する３つの放電セル列が、画像表示領域の左端部（１列目）から右端部（ｍ列目）まで、３列ずつ順次発光するパターンである。
【０１０８】
以下、ｘ座標検出期間Ｐｘ１で発生するｙ座標方向に延長した発光線を、「第２の発光線」とも記す。すなわち、ｘ座標検出期間Ｐｘ１で発生する近接用ｘ座標検出パターンは、ｙ座標方向に延長した第２の発光線がｘ座標方向に順次移動する（画像表示領域の１列目からｍ／３列目までの各画素列が、例えば１列毎に順次発光する）パターンである。
【０１０９】
ｘ座標検出期間Ｐｘ１でパネル１０に近接用ｘ座標検出パターンを表示すると、画像表示領域の１列目から最終列目までの各画素列が、例えば１列毎に順次発光するので、電子ペン５０の先端部がパネル１０の画像表示領域内のどこに接触しているかによって、電子ペン５０がこの発光を受光するタイミングは変化する。したがって、電子ペン５０を近接使用するときは、電子ペン５０で第２の発光線を受光するタイミングを検出することで、画像表示領域における電子ペン５０の位置座標（ｘ，ｙ）のｘ座標が検出される。
【０１１０】
本実施の形態では、ｘ座標検出期間Ｐｘ１でデータ電極Ｄ１〜Ｄｍのそれぞれにｘ座標検出パルスを印加する時間をＴｘ１１とする。このＴｘ１１は、例えば、約１μｓｅｃである。
【０１１１】
近接用ｘ座標検出サブフィールドＳＦｘ１の消去期間Ｐｅｘでは、近接用ｙ座標検出サブフィールドＳＦｙ１の消去期間Ｐｅｙで行う消去動作と同様の消去動作を行う。これにより、パネル１０の画像表示領域内にある全ての放電セルに微弱な消去放電が発生する。
【０１１２】
続いて、遠隔用ｙ座標検出サブフィールドＳＦｙ２と遠隔用ｘ座標検出サブフィールドＳＦｘ２を発生する。
【０１１３】
遠隔用ｙ座標検出サブフィールドＳＦｙ２は、初期化期間Ｐｉｙとｙ座標検出期間Ｐｙ２と消去期間Ｐｅｙとを有する。
【０１１４】
初期化期間Ｐｉｙでは、近接用ｙ座標検出サブフィールドＳＦｙ１の初期化期間Ｐｉｙと同様の選択初期化動作を行う。これにより、パネル１０の画像表示領域内にある全ての放電セルの壁電圧が、続くｙ座標検出期間Ｐｙ２における遠隔用ｙ座標検出パターン表示動作に適した壁電圧に調整される。
【０１１５】
時刻ｔｙ０２に始まるｙ座標検出期間Ｐｙ２では、維持電極ＳＵ１〜ＳＵｎに電圧Ｖｅを印加し、データ電極Ｄ１〜Ｄｍに電圧０（Ｖ）を印加し、走査電極ＳＣ１〜ＳＣｎに電圧Ｖｃを印加する。
【０１１６】
次に、時刻ｔｙ０２から期間Ｔｙ０２の後に、データ電極Ｄ１〜Ｄｍに正極性のｙ座標検出電圧Ｖｄｙを印加し、１〜８行目の走査電極ＳＣ１〜ＳＣ８に電圧Ｖａｙの負極性のｙ座標検出パルスを同時に印加する。なお、図６では、このｙ座標検出パルスのパルス幅をＴｙ１２として示している。
【０１１７】
ｙ座標検出電圧Ｖｄｙを印加したデータ電極Ｄ１〜Ｄｍと、電圧Ｖａｙのｙ座標検出パルスを印加した走査電極ＳＣ１〜ＳＣ８との交差部にある１〜８行目の放電セルでは、ｙ座標検出放電が発生する。
【０１１８】
このようにして、１〜８行目を構成する８本の放電セル行（８本の画素行）に放電が発生し、それらの放電セル行（画素行）が一斉に発光する。そして、この発光は、電子ペン５０を遠隔使用するときのｙ座標検出用の発光となる。
【０１１９】
このとき、８本の放電セル行（画素行）に一斉にｙ座標検出放電が発生するので、その発光は、近接用ｙ座標検出サブフィールドＳＦｙ１のｙ座標検出期間Ｐｙ１で発生するｙ座標検出放電の発光よりも輝度が高い。
【０１２０】
同様の動作を、データ電極Ｄ１〜Ｄｍにｙ座標検出電圧Ｖｄｙを印加したまま、走査電極ＳＣ９〜ＳＣ１６、走査電極ＳＣ１７〜ＳＣ２４、・・・、走査電極ＳＣｎ−７〜ＳＣｎという順番で、ｎ行目の放電セルに至るまで順次行う。
【０１２１】
これにより、遠隔用ｙ座標検出サブフィールドＳＦｙ２のｙ座標検出期間Ｐｙ２では、発光する１本の横線（すなわち、発光する８本の画素行）が、パネル１０の画像表示領域の上端部（１行目の画素行）から下端部（ｎ行目の画素行）まで８行ずつ順次移動するパターン（遠隔用ｙ座標検出パターン）が表示される。
【０１２２】
以下、ｙ座標検出期間Ｐｙ２で発生するｘ座標方向に延長した発光線を、「第３の発光線」とも記す。すなわち、ｙ座標検出期間Ｐｙ２で発生する遠隔用ｙ座標検出パターンは、ｘ座標方向に延長した第３の発光線がｙ座標方向に順次移動する（画像表示領域の１行目からｎ行目までの各画素行が、例えば８行毎に順次発光する）パターンである。
【０１２３】
第３の発光線は、ｙ座標検出パルスを同時に印加する走査電極１２の数が近接用ｙ座標検出サブフィールドＳＦｙ１よりも多いため、上述した近接用の第１の発光線よりも幅が広く輝度が高い発光線である。したがって、電子ペン５０が第３の発光線の発光を受光できるパネル１０までの距離は、第１の発光線の発光を受光できる距離よりも大きい。
【０１２４】
本実施の形態では、ｙ座標検出期間Ｐｙ２で走査電極ＳＣ１〜ＳＣｎのそれぞれにｙ座標検出パルスを印加する時間をＴｙ１２とする。このＴｙ１２は、例えば、約１μｓｅｃである。
【０１２５】
遠隔用ｙ座標検出サブフィールドＳＦｙ２の消去期間Ｐｅｙでは、近接用ｙ座標検出サブフィールドＳＦｙ１の消去期間Ｐｅｙで行う消去動作と同様の消去動作を行う。これにより、パネル１０の画像表示領域内にある全ての放電セルに微弱な消去放電が発生する。
【０１２６】
続く遠隔用ｘ座標検出サブフィールドＳＦｘ２は、初期化期間Ｐｉｘとｘ座標検出期間Ｐｘ２と消去期間Ｐｅｘとを有する。
【０１２７】
初期化期間Ｐｉｘでは、近接用ｘ座標検出サブフィールドＳＦｘ１の初期化期間Ｐｉｘと同様の選択初期化動作を行う。これにより、パネル１０の画像表示領域内にある全ての放電セルの壁電圧が、続くｘ座標検出期間Ｐｘ２における遠隔用ｘ座標検出パターン表示動作に適した壁電圧に調整される。
【０１２８】
時刻ｔｘ０２に始まるｘ座標検出期間Ｐｘ２では、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに負極性のｘ座標検出電圧Ｖａｘを印加する。
【０１２９】
次に、時刻ｔｘ０２から期間Ｔｘ０２の後に、走査電極ＳＣ１〜ＳＣｎにｘ座標検出電圧Ｖａｘを印加したまま、１〜２４列目のデータ電極Ｄ１〜Ｄ２４に電圧Ｖｄｘの正極性のｘ座標検出パルスを同時に印加する。なお、図６では、このｘ座標検出パルスのパルス幅をＴｘ１２として示している。
【０１３０】
電圧Ｖｄｘのｘ座標検出パルスを印加したデータ電極Ｄ１〜Ｄ２４と、ｘ座標検出電圧Ｖａｘを印加した走査電極ＳＣ１〜ＳＣｎとの交差部にある１〜２４列目の放電セルでは、ｘ座標検出放電が発生する。
【０１３１】
このようにして、１〜８列目を構成する８本の画素列（２４本の放電セル列）に放電が発生し、それらの画素列が一斉に発光する。そして、この発光は、電子ペン５０を遠隔使用するときのｘ座標検出用の発光となる。
【０１３２】
このとき、８本の画素列（２４本の放電セル列）に一斉にｘ座標検出放電が発生するので、その発光は、近接用ｘ座標検出サブフィールドＳＦｘ１のｘ座標検出期間Ｐｘ１で発生するｘ座標検出放電の発光よりも輝度が高い。
【０１３３】
同様の動作を、走査電極ＳＣ１〜ＳＣｎにｘ座標検出電圧Ｖａｘを印加したまま、データ電極Ｄ２５〜Ｄ４８、データ電極Ｄ４９〜Ｄ７２、・・・、データ電極Ｄｍ−２３〜Ｄｍという順番で、ｍ列目の放電セルに至るまで順次行う。
【０１３４】
これにより、遠隔用ｘ座標検出サブフィールドＳＦｘ２のｘ座標検出期間Ｐｘ２では、発光する１本の縦線（すなわち、発光する８本の画素列）が、パネル１０の画像表示領域の左端部（１列目の画素列）から右端部（ｍ／３列目の画素列）まで８列ずつ順次移動するパターン（遠隔用ｘ座標検出パターン）が表示される。すなわち、この遠隔用ｘ座標検出パターンは、画像表示領域の１列目から最終列目までの各画素列が、８列毎に順次発光するパターンである。言い換えると、この遠隔用ｘ座標検出パターンとは、互いに隣接する２４本の放電セル列が、画像表示領域の左端部（１列目）から右端部（ｍ列目）まで、２４列ずつ順次発光するパターンである。
【０１３５】
以下、ｘ座標検出期間Ｐｘ２で発生するｙ座標方向に延長した発光線を、「第４の発光線」とも記す。すなわち、ｘ座標検出期間Ｐｘ２で発生する遠隔用ｘ座標検出パターンは、ｙ座標方向に延長した第４の発光線がｘ座標方向に順次移動する（画像表示領域の１列目からｍ／３列目までの各画素列が、例えば８列毎に順次発光する）パターンである。
【０１３６】
第４の発光線は、ｘ座標検出パルスを同時に印加するデータ電極２２の数が近接用ｘ座標検出サブフィールドＳＦｘ１よりも多いため、上述した近接用の第２の発光線よりも幅が広く輝度が高い発光線である。したがって、電子ペン５０が第４の発光線の発光を受光できるパネル１０までの距離は、第２の発光線の発光を受光できる距離よりも大きい。
【０１３７】
ｘ座標検出期間Ｐｘ２でパネル１０に遠隔用ｘ座標検出パターンを表示すると、画像表示領域の１列目から最終列目までの各画素列が、例えば８列毎に順次発光するので、電子ペン５０の位置座標がパネル１０の画像表示領域内のどこにあるかによって、電子ペン５０がこの発光を受光するタイミングは変化する。したがって、電子ペン５０を遠隔使用するときには、電子ペン５０で第４の発光線を受光するタイミングを検出することで、画像表示領域における電子ペン５０の位置座標（ｘ，ｙ）のｘ座標が検出される。
【０１３８】
本実施の形態では、ｘ座標検出期間Ｐｘ２でデータ電極Ｄ１〜Ｄｍのそれぞれにｘ座標検出パルスを印加する時間をＴｘ１２とする。このＴｘ１２は、例えば、約１μｓｅｃである。
【０１３９】
遠隔用ｘ座標検出サブフィールドＳＦｘ２の消去期間Ｐｅｘでは、近接用ｘ座標検出サブフィールドＳＦｘ１の消去期間Ｐｅｘで行う消去動作と同様の消去動作を行う。これにより、パネル１０の画像表示領域内にある全ての放電セルに微弱な消去放電が発生する。
【０１４０】
以上が、同期検出サブフィールドＳＦｏ、ｙ座標検出サブフィールドＳＦｙおよびｘ座標検出サブフィールドＳＦｘの駆動電圧波形の概要である。
【０１４１】
したがって、電子ペン５０をパネル１０に接触させて使用（または、接触直前程度の近距離で使用）する近接使用時には、近接用ｙ座標検出サブフィールドＳＦｙ１および近接用ｘ座標検出サブフィールドＳＦｘ１で生じる発光を検出対象とすることによって相対的に高い精度で位置座標を算出することができる。また、電子ペン５０を遠隔使用するときには、発光輝度が相対的に高い遠隔用ｙ座標検出サブフィールドＳＦｙ２および遠隔用ｘ座標検出サブフィールドＳＦｘ２で生じる発光を検出対象とすることによって、パネル１０から離れた位置（例えば、８ｍ程度）にある電子ペン５０においても位置座標を算出することが可能になる。
【０１４２】
なお、上述と同様の考え方にもとづいて、発光輝度が互いに異なる３つ以上のｙ座標検出サブフィールドＳＦｙおよび３つ以上のｘ座標検出サブフィールドＳＦｘを発生してもよい。
【０１４３】
なお、本実施の形態において各電極に印加する電圧値は、例えば、電圧Ｖｉ１＝１５０（Ｖ）、電圧Ｖｉ２＝３５０（Ｖ）、電圧Ｖｉ３＝２００（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。
【０１４４】
また、初期化期間Ｐｉ１に発生する上り傾斜波形電圧の勾配は約１．５（Ｖ／μｓｅｃ）であり、初期化期間Ｐｉ１〜Ｐｉ８、Ｐｉｏ、Ｐｉｙ、Ｐｉｘに発生する下り傾斜波形電圧の勾配は約−２．５（Ｖ／μｓｅｃ）である。また、維持期間Ｐｓ１〜Ｐｓ８、同期検出期間Ｐｏ、消去期間Ｐｅｙ、Ｐｅｘに発生する上り傾斜波形電圧の勾配は約１０（Ｖ／μｓｅｃ）である。
【０１４５】
しかし、上述した電圧値や勾配等の具体的な数値は単なる一例に過ぎず、各電圧値や勾配等は、パネル１０の放電特性や画像表示装置３０の仕様等にもとづき最適に設定することが望ましい。
【０１４６】
なお、時間Ｔｏ０を、時間Ｔｏ１、Ｔｏ２、Ｔｏ３のいずれの時間よりも長い時間に設定するのは、電子ペン５０が、同期検出サブフィールドＳＦｏの書込み期間Ｐｗｏにおいて発生する書込み放電による発光を、同期検出放電による発光と誤認識することを防止するためである。
【０１４７】
次に、電子ペン５０について説明する。
【０１４８】
電子ペン５０は、棒状に形成されており、使用者が、電子ペン５０の先端部をパネル１０に直接接触させて（近接使用）、あるいは、パネル１０から離れた位置から（遠隔使用）、画像表示装置３０の画像表示領域に、文字や図画等を手書き入力したり（ペン機能）カーソルを表示する（ポインタ機能）ことに使用される。電子ペン５０は、座標検出サブフィールドによってパネル１０に生じる発光を受光することで位置座標を検出する。位置座標の検出は、上述したように、電子ペン５０が、パネル１０に表示されるｙ座標検出パターンの発光を受光してｙ座標を算出し、パネル１０に表示されるｘ座標検出パターンの発光を受光してｘ座標を算出することによって行われる。
【０１４９】
電子ペン５０は、図１に示したように、受光素子５２、５４、接触スイッチ５３、複数（または単数）の手動スイッチ８３、同期検出部５６、座標算出部５７、送信部５８、アタッチメント検出スイッチ８６、および距離判定部９１を備えている。
【０１５０】
なお、図１には示していないが、電子ペン５０は、電源スイッチ、パイロットランプ等も有する。電源スイッチは、電子ペン５０の電源オン・オフを制御するためのスイッチである。パイロットランプは、複数の発光色を切替えて発光することが可能な発光素子（例えば、ＬＥＤ等）で構成され、電子ペン５０の動作状態を発光・非発光または発光色の切替えによって表示する。
【０１５１】
第１の受光素子５２は、電子ペン５０の長手方向の一方の端部（以下、「近接側端部」と記す）に設けられ、第２の受光素子５４は、電子ペン５０の長手方向の他方の端部（以下、「遠隔側端部」と記す）に設けられている。受光素子５２、５４は、画像表示装置３０の画像表示面に生じる発光を受光して電気信号（受光信号）に変換する。この受光信号は、受光した光の光量に応じて変化し、光量が大きいほど受光信号も大きくなる。そして、それらの受光信号は、同期検出部５６と座標算出部５７に出力される。また、受光素子５４が出力する受光信号は、距離判定部９１に入力される。なお、本実施の形態において、電子ペン５０の位置座標（ｘ，ｙ）とは、受光素子５２または受光素子５４が画像表示装置３０の画像表示面に生じる発光を受光する位置のことである。
【０１５２】
接触スイッチ５３は、電子ペン５０の受光素子５２が取付けられた側（近接側）の先端部に設けられ、電子ペン５０の近接側端部が画像表示装置３０の画像表示面に接触したかどうかを検知する。接触スイッチ５３は、電子ペン５０の近接側端部がパネル１０に接触していればオンになってＳ１＝「１」を出力し、接触していなければオフになってＳ１＝「０」を出力する。
【０１５３】
手動スイッチ８３の１つは、遠隔使用時の描画用スイッチとして用いられる。この手動スイッチ８３は、使用者によってオン・オフが切り替えられ、オンのときはＳ１’＝「１」を出力し、オフのときはＳ１’＝「０」を出力する。また、手動スイッチ８３の他の１つは、使用者の操作により描画モードＳ０（例えば描画に用いる線の色、線の太さ、線の種類、等）を任意に切り替えることができる。また、他の手動スイッチ（図示せず）には、例えば、選択ボタンとしての機能を有するものや、表示画像を拡大／縮小する機能を有するもの等がある。
【０１５４】
電子ペン５０は、集光レンズ８４を備えたアタッチメント８０を、遠隔側端部に着脱可能に装着することができる。アタッチメント８０を装着することで、電子ペン５０の受光素子５４は、パネル１０に表示される座標検出サブフィールドの発光を、画像表示装置３０から数メートル離れた位置でも受光することができるようになる。これにより、電子ペン５０を、画像表示装置３０から数メートル（例えば、８ｍ程度）離れた位置からでも使用すること（遠隔使用）が可能になる。
【０１５５】
そして、アタッチメント検出スイッチ８６は、アタッチメント８０が電子ペン５０に装着されているときにオン状態となってＳ２＝「１」を出力し、装着されていなければオフ状態となってＳ２＝「０」を出力する。
【０１５６】
なお、アタッチメント検出スイッチ８６に代えて、手動スイッチ８３の１つによってＳ２＝「１」ｏｒ「０」を切替える構成であってもよい。
【０１５７】
このように、本実施の形態における電子ペン５０は、受光素子５２を設けた近接側端部を画像表示装置３０の画像表示面に直接接触させて（またはパネル１０に比較的近い位置で）使用する「近接使用」と、受光素子５４を設けた遠隔側端部にアタッチメント８０を装着し、集光レンズ８４をパネル１０の方向に向け、画像表示装置３０の画像表示面から離れた位置で使用する「遠隔使用」の２通りの使用が可能である。
【０１５８】
そして、電子ペン５０を近接使用するときには、受光素子５２が受光する近接用ｙ座標検出サブフィールドＳＦｙ１および近接用ｘ座標検出サブフィールドＳＦｘ１の発光を位置座標の算出用に使用し、電子ペン５０を遠隔使用するときには、アタッチメント８０の集光レンズ８４を通して受光素子５４が受光する遠隔用ｙ座標検出サブフィールドＳＦｙ２および遠隔用ｘ座標検出サブフィールドＳＦｘ２の発光を位置座標の算出用に使用する。
【０１５９】
アタッチメント８０は、集光レンズ８４に隣接してカラーフィルタ８８が備えられている。このカラーフィルタ８８は、所定の色の可視光を、他の色の可視光よりも高い透過率で透過する。以下、本実施の形態では、所定の色を「青」とする例を説明するが、所定の色は何ら「青」に限定されるものではなく、「赤」または「緑」等の他の色であってもよい。ただし、所定の色はパネル１０の放電セルの発光色のいずれかとする。
【０１６０】
図７は、本発明の実施の形態１におけるアタッチメント８０が有するカラーフィルタ８８の可視光透過特性の一例を示す図である。図７において、縦軸は可視光の透過率を表し、横軸は光の波長を表す。なお、この可視光透過率は、カラーフィルタ８８を透過する前の可視光の明るさ（強度）に対するカラーフィルタ８８を透過した後の可視光の明るさを、波長毎に百分率で表したものである。例えば、ある波長の可視光透過率が５０％であれば、その可視光は、カラーフィルタ８８を透過することで、透過前の半分の明るさに減衰する。
【０１６１】
図３に示した例では、パネル１０において、青の放電セルは４５０ｎｍに、緑の放電セルは５２８ｎｍに、赤の放電セルは５９３ｎｍ、６１２ｎｍ、６２７ｎｍのそれぞれに発光強度のピークを有する。そして、図７に一例を示すカラーフィルタ８８の可視光透過率は、４５０ｎｍ（青）で約７０％、５２８ｎｍ（緑）で約１２％、５９３ｎｍ、６１２ｎｍ、６２７ｎｍ（赤）ではほぼ０％である。
【０１６２】
したがって、アタッチメント８０を装着した電子ペン５０においては、パネル１０の緑の放電セルが発する光は、約８８％がカラーフィルタ８８によって遮られ、約１２％がカラーフィルタ８８を透過して受光素子５４に届く。また、赤の放電セルが発する光は、ほぼ１００％がカラーフィルタ８８によって遮られ受光素子５４にはほとんど届かない。一方、青の放電セルが発する光は、約３０％がカラーフィルタ８８によって遮られるが、約７０％はカラーフィルタ８８を透過して受光素子５４に届く。
【０１６３】
このように、カラーフィルタ８８は、所定の色（例えば、青）の放電セルが発する可視光を、他の色の放電セルが発する可視光よりも高い透過率で透過する。そのため、所定の色以外の色（例えば、赤や緑等）の可視光は受光素子５４にほとんど届かないが、所定の色（例えば、青）の可視光は大部分がカラーフィルタ８８を透過して受光素子５４に届くので、受光素子５４は、所定の色（例えば、青）の可視光を受光して、受光信号を発生することができる。
【０１６４】
なお、カラーフィルタ８８の可視光透過特性は、各波長の可視光に関しては例えば図７に示したとおりであるが、様々な波長の可視光が混合した白色光に関しては、例えば太陽光では、カラーフィルタ８８を透過する前の明るさを１００％とすると、カラーフィルタ８８を透過した後の明るさは約６％に低減されることが確認された。
【０１６５】
すなわち、図７に示す可視光透過特性を有するカラーフィルタ８８は、例えばパネル１０の表面で反射する太陽光の約９４％を遮ることができる。
【０１６６】
電子ペン５０においては、太陽光や照明光の反射光等の、位置座標算出に不要な可視光が受光素子５４で受光されると、位置座標を算出する際に誤動作をすることがある。
【０１６７】
電子ペン５０に備えられた各回路（同期検出部５６、座標算出部５７、距離判定部９１等）は、後述するように、受光素子５２、５４から出力される受光信号を、あらかじめ定められたしきい値と比較し、そのしきい値以上となる受光信号にもとづき動作する。一方、電子ペン５０においては、パネル１０の放電セルに発生した可視光によって生じる受光信号と、反射光等の不要な可視光によって生じる不正な受光信号とを区別することは困難である。したがって、その不正な受光信号がしきい値以上になると、電子ペン５０に備えられた各回路は、その不正な受光信号にもとづいて動作し、その結果、例えば位置座標を誤算出する等の誤動作をする可能性がある。この誤動作を低減するためには、不要な可視光によって生じる不正な受光信号をできるだけ低減することが望ましい。
【０１６８】
アタッチメント８０を装着した電子ペン５０においては、集光レンズ８４が受光できるパネル１０上の範囲（受光範囲）内に、太陽光や照明光の反射光等の不要な可視光があったとしても、その不要な可視光の大部分（例えば、約９４％）をカラーフィルタ８８によって遮ることができる。したがって、不要な可視光により生じる不正な受光信号を大きく低減することができる。その一方で、受光範囲内にある所定の色（例えば、青）の放電セルが発する可視光（位置座標算出に必要な可視光）の大部分（例えば、約７０％）は、カラーフィルタ８８を透過して受光素子５４で受光される。したがって、位置座標算出に必要な可視光により生じる受光信号が大きく低減されることはない。これにより、電子ペン５０は、位置座標の算出を、誤動作を低減して精度良く行うことができる。
【０１６９】
なお、本実施の形態におけるカラーフィルタ８８において、太陽光や照明光等の反射光を低い透過率で遮りつつ位置座標算出に必要なパネル１０の放電セルが発光する色（所定の色）の可視光を高い透過率で透過するためには、所定の色（例えば、青）の放電セルが発する可視光の透過率が、他の色（例えば、赤、緑）の放電セルが発する可視光の透過率の５倍以上となるように各波長の透過率を設定することが望ましい。
【０１７０】
同期検出部５６は、受光素子５２または受光素子５４から出力される受光信号にもとづき、同期検出サブフィールドＳＦｏの同期検出期間Ｐｏに発生する同期検出用の発光（同期検出放電によって生じる発光）を検出する。具体的には、同期検出部５６は、同期検出部５６が有するタイマー（図示せず）を用いて、複数（例えば、５回）の発光の発生間隔を計測する。そして、その発生間隔があらかじめ定められた所定の時間間隔（例えば、時間Ｔｏ０、Ｔｏ１、Ｔｏ２、Ｔｏ３）に合致するかどうかを、同期検出部５６に設定された複数のしきい値（例えば、時間Ｔｏ０、Ｔｏ１、Ｔｏ２、Ｔｏ３に相当するしきい値）と計測された時間間隔とを比較することで判定する。
【０１７１】
そして、同期検出部５６は、その連続する複数回（例えば、５回）の発光のうちの１つを基準にして座標基準信号を作成する。例えば、同期検出サブフィールドＳＦｏの同期検出期間Ｐｏの時刻ｔｏ１に発生した発光を基準にして座標基準信号を作成する。時刻ｔｏ１は、同期検出サブフィールドＳＦｏの同期検出期間Ｐｏにおいて走査電極ＳＣ１〜ＳＣｎに１回目の同期検出パルスＶ１を印加する時刻である。
【０１７２】
同期検出部５６の動作を図８、図９を交えて説明する。
【０１７３】
図８は、本発明の実施の形態１における画像表示システム１００において電子ペン５０を近接使用するときの位置座標検出動作の一例を説明するための駆動電圧波形の一例を示す図である。
【０１７４】
図８には、電子ペン５０の近接側端部（受光素子５２を設けた側の先端部）をパネル１０に接触（または近接）させて使用するときの電子ペン５０の位置座標算出動作の一例を示す。
【０１７５】
図９は、本発明の実施の形態１における画像表示システム１００において電子ペン５０を遠隔使用するときの位置座標検出動作の一例を説明するための駆動電圧波形の一例を示す図である。
【０１７６】
図９には、電子ペン５０の遠隔側端部（受光素子５４を設けた側の先端部）にアタッチメント８０を装着し、パネル１０から離れた位置で電子ペン５０を使用するときの電子ペン５０の位置座標算出動作の一例を示す。
【０１７７】
図８、図９には、走査電極ＳＣ１、ＳＣｎ、データ電極Ｄ１、Ｄｍのそれぞれに印加する駆動電圧波形、座標算出部５７に入力される座標基準信号、距離判定部９１に入力される距離検出信号、および受光素子５２（または受光素子５４）から出力される受光信号を示す。なお、図８、図９に示す駆動電圧波形は、図５、図６に示した駆動電圧波形と同じものである。
【０１７８】
本実施の形態における画像表示装置３０では、時刻ｔｏ１から時刻ｔｙ０１までの時間Ｔｏｙ１、時刻ｔｏ１から時刻ｔｘ０１までの時間Ｔｏｘ１、時刻ｔｏ１から時刻ｔｙ０２までの時間Ｔｏｙ２、時刻ｔｏ１から時刻ｔｘ０２までの時間Ｔｏｘ２のそれぞれは、あらかじめ定められている。
【０１７９】
したがって、同期検出部５６は、時刻ｔｏ１を特定できれば、図８に示す時刻ｔｙ０１と時刻ｔｘ０１とのそれぞれに立上りエッジがある座標基準信号、および図９に示す時刻ｔｙ０２と時刻ｔｘ０２とのそれぞれに立上りエッジがある座標基準信号を発生し、座標算出部５７に出力することができる。
【０１８０】
時刻ｔｏ１は、上述したように、同期検出部５６が、発光の間隔が順に時間Ｔｏ０、時間Ｔｏ１、時間Ｔｏ２、時間Ｔｏ３となる連続する５回の発光（これらの発光にもとづき受光素子５２から出力される受光信号）を検出することで、特定される。
【０１８１】
なお、同期検出部５６では、受光信号をあらかじめ設定された受光しきい値ｔｈ１と比較し、受光しきい値ｔｈ１以上の受光信号に関して微分値を算出する等して局所的なピークが発生する時刻を検出する。こうして、各時刻や各時間を検出する。
【０１８２】
また、放電セルに放電を発生するための電圧を印加する時刻と、実際に放電が発生して発光のピークが電子ペン５０で検出される時刻には、放電特性に起因する時間差が生じるが、その時間差をあらかじめ測定し、オフセット値として各時刻の補正に用いてもよい。
【０１８３】
そして、同期検出部５６は、アタッチメント８０が電子ペン５０に装着されておらず、アタッチメント検出スイッチ８６がＳ２＝「０」を出力しているときは、近接用ｙ座標検出サブフィールドＳＦｙ１および近接用ｘ座標検出サブフィールドＳＦｘ１の発光にもとづき位置座標の算出が行えるように、座標基準信号を発生する。すなわち、図８に示すように、時刻ｔｙ０１（近接用ｙ座標検出サブフィールドＳＦｙ１のｙ座標検出期間Ｐｙ１の開始時刻）と時刻ｔｘ０１（近接用ｘ座標検出サブフィールドＳＦｘ１のｘ座標検出期間Ｐｘ１の開始時刻）のそれぞれに立上りエッジがある座標基準信号を発生し、後段の座標算出部５７に出力する。
【０１８４】
また、同期検出部５６は、アタッチメント８０が電子ペン５０に装着されており、アタッチメント検出スイッチ８６がＳ２＝「１」を出力しているときは、遠隔用ｙ座標検出サブフィールドＳＦｙ２および遠隔用ｘ座標検出サブフィールドＳＦｘ２の発光にもとづき位置座標の算出が行えるように、座標基準信号を発生する。すなわち、図９に示すように、時刻ｔｙ０２（遠隔用ｙ座標検出サブフィールドＳＦｙ２のｙ座標検出期間Ｐｙ２の開始時刻）と時刻ｔｘ０２（遠隔用ｘ座標検出サブフィールドＳＦｘ２のｘ座標検出期間Ｐｘ２の開始時刻）のそれぞれに立上りエッジがある座標基準信号を発生し、後段の座標算出部５７に出力する。
【０１８５】
このように、同期検出部５６は、同期検出用の発光にもとづき時刻ｔｏ１を特定し、時刻ｔｏ１を基準にして、時刻ｔｙ０１と時刻ｔｘ０１とのそれぞれに立上りエッジがある座標基準信号、または時刻ｔｙ０２と時刻ｔｘ０２とのそれぞれに立上りエッジがある座標基準信号を発生する。
【０１８６】
さらに、本実施の形態における同期検出部５６は、アタッチメント８０が電子ペン５０に装着されており、アタッチメント検出スイッチ８６がＳ２＝「１」を出力しているときは、図９に示すように、近接用ｙ座標検出サブフィールドＳＦｙ１で発生する近接用ｙ座標検出パターンの発光、および近接用ｘ座標検出サブフィールドＳＦｘ１で発生する近接用ｘ座標検出パターンの発光を検出するための「距離検出信号」を、時刻ｔｏ１を基準にして発生し、後段の距離判定部９１に出力する。この距離検出信号は、距離判定部９１に受光信号の受け入れを許可する信号であり、例えば、ｙ座標検出期間Ｐｙ１の期間およびｘ座標検出期間Ｐｘ１の期間はＨｉとなり他はＬｏとなる信号である。
【０１８７】
ただし、同期検出部５６は、アタッチメント８０が電子ペン５０に装着されておらず、アタッチメント検出スイッチ８６がＳ２＝「０」を出力しているときは、図８に示すように、距離検出信号をＬｏに維持したままにする。したがって、Ｓ２＝「０」のとき距離判定部９１は受光信号を受け付けない。
【０１８８】
なお、本実施の形態では、時刻ｔｏ１を基準にして座標基準信号および距離検出信号を発生する例を説明しているが、座標基準信号および距離検出信号は、時刻ｔｏ２、または時刻ｔｏ３、または時刻ｔｏ４を基準にして発生してもよい。
【０１８９】
なお、座標基準信号は、何ら上述の信号に限定されるものではなく、ｙ座標検出パターンによる発光およびｘ座標検出パターンによる発光を受光素子５２または受光素子５４が受光したときに、その時刻を特定するための基準にすることができる信号であればよい。
【０１９０】
座標算出部５７は、時間の長さを計測するカウンタと、カウンタの出力に演算を施す演算回路とを備える（図示せず）。
【０１９１】
そして、座標算出部５７は、座標基準信号および受光信号にもとづき、ｙ座標検出パターンの発光を示す信号およびｘ座標検出パターンの発光を示す信号を受光信号から選択的に取り出し、画像表示領域における電子ペン５０の位置座標（ｘ，ｙ）を算出する。
【０１９２】
具体的には、座標算出部５７は、アタッチメント８０が電子ペン５０に装着されておらずアタッチメント検出スイッチ８６がＳ２＝「０」を出力しているときは、図８に示すように、座標基準信号にもとづき、時刻ｔｙ０１から、時刻ｔｙ０１以降に最初に受光素子５２で発光が受光される時刻ｔｙｙ１までの時間Ｔｙｙ１をカウンタで測定する。そして、演算回路において時間Ｔｙｙ１から時間Ｔｙ０１（時刻ｔｙ０１から最初の近接用ｙ座標検出パルスが発生するまでの時間）を減算し、その減算結果を時間Ｔｙ１１（近接用ｙ座標検出パルスのパルス幅）で除算する。こうして近接使用時の画像表示領域における電子ペン５０の位置のｙ座標を算出する。
【０１９３】
次に、座標算出部５７は、座標基準信号にもとづき、時刻ｔｘ０１から、時刻ｔｘ０１以降に最初に受光素子５２で発光が受光される時刻ｔｘｘ１までの時間Ｔｘｘ１をカウンタで測定する。そして、演算回路において時間Ｔｘｘ１から時間Ｔｘ０１（時刻ｔｘ０１から最初の近接用ｘ座標検出パルスが発生するまでの時間）を減算し、その減算結果を時間Ｔｘ１１（近接用ｘ座標検出パルスのパルス幅）で除算する。こうして近接使用時の画像表示領域における電子ペン５０の位置のｘ座標を算出する。
【０１９４】
アタッチメント８０が電子ペン５０に装着されアタッチメント検出スイッチ８６がＳ２＝「１」を出力しているときは、座標算出部５７は、図９に示すように、座標基準信号にもとづき、時刻ｔｙ０２から、時刻ｔｙ０２以降に最初に受光素子５４で発光が受光される時刻ｔｙｙ２までの時間Ｔｙｙ２をカウンタで測定する。そして、演算回路において時間Ｔｙｙ２から時間Ｔｙ０２（時刻ｔｙ０２から最初の遠隔用ｙ座標検出パルスが発生するまでの時間）を減算し、その減算結果を時間Ｔｙ１２（遠隔用ｙ座標検出パルスのパルス幅）で除算する。こうして遠隔使用時の画像表示領域における電子ペン５０の位置のｙ座標を算出する。
【０１９５】
次に、座標算出部５７は、座標基準信号にもとづき、時刻ｔｘ０２から、時刻ｔｘ０２以降に最初に受光素子５４で発光が受光される時刻ｔｘｘ２までの時間Ｔｘｘ２をカウンタで測定する。そして、演算回路において時間Ｔｘｘ２から時間Ｔｘ０２（時刻ｔｘ０２から最初の遠隔用ｘ座標検出パルスが発生するまでの時間）を減算し、その減算結果を時間Ｔｘ１２（遠隔用ｘ座標検出パルスのパルス幅）で除算する。こうして遠隔使用時の画像表示領域における電子ペン５０の位置のｘ座標を算出する。
【０１９６】
なお、時刻ｔｙｙ１または時刻ｔｙｙ２は、電子ペン５０の受光素子５２または受光素子５４がｙ座標検出パターンによりパネル１０に生じる発光を受光した時刻であり、時刻ｔｘｘ１または時刻ｔｘｘ２は、電子ペン５０の受光素子５２または受光素子５４がｘ座標検出パターンによりパネル１０に生じる発光を受光した時刻である。
【０１９７】
座標算出部５７は、このようにして算出した電子ペン５０の位置座標（ｘ，ｙ）を送信部５８に出力する。
【０１９８】
なお、座標算出部５７において電子ペン５０の位置座標（ｘ，ｙ）を算出する手法は何ら上述した計算方法に限定されるものではない。例えば、ｙ座標検出パルスのパルス幅およびｘ座標検出パルスのパルス幅に相当する時間間隔で動作するタイマーを用い、タイマーの計数値がそのままｙ座標およびｘ座標になるように構成する等、他の手法により位置座標を算出してもよい。
【０１９９】
距離判定部９１は、アタッチメント８０が電子ペン５０に装着されアタッチメント検出スイッチ８６がＳ２＝「１」を出力しているときは、同期検出部５６から出力される距離検出信号および受光素子５４から出力される受光信号にもとづき、電子ペン５０からパネル１０までの距離を判定する。
【０２００】
具体的には、距離判定部９１は、図９に示すように、距離検出信号がＨｉの期間に受光素子５４から出力される受光信号を受け入れ、その受光信号をあらかじめ設定した距離しきい値ｔｈ２と比較する。そして、受光信号が距離しきい値ｔｈ２以上であれば、電子ペン５０からパネル１０までの距離は比較的近いと判定してＳ３＝「１」を出力し、受光信号が距離しきい値ｔｈ２未満であれば、電子ペン５０からパネル１０までの距離は比較的遠いと判定してＳ３＝「０」を出力する。
【０２０１】
上述したように、距離検出信号がＨｉの期間に受光素子５４から出力される受光信号は、近接用ｙ座標検出サブフィールドＳＦｙ１のｙ座標検出期間Ｐｙ１で発生する近接用ｙ座標検出パターンの発光にもとづく受光信号であり、近接用ｘ座標検出サブフィールドＳＦｘ１のｘ座標検出期間Ｐｘ１で発生する近接用ｘ座標検出パターンの発光にもとづく受光信号である。
【０２０２】
近接用ｙ座標検出パターンの発光は遠隔用ｙ座標検出パターンの発光よりも輝度が低く、近接用ｘ座標検出パターンの発光は遠隔用ｘ座標検出パターンの発光よりも輝度が低い。したがって、パネル１０と電子ペン５０との間が、遠隔用ｙ座標検出パターンの受光信号および遠隔用ｘ座標検出パターンの受光信号を受光しきい値ｔｈ１以上で受光できる距離の範囲内に、近接用ｙ座標検出パターンの発光および近接用ｘ座標検出パターンの発光による受光信号が距離しきい値ｔｈ２未満になる距離が存在する。このことを利用して、電子ペン５０とパネル１０との間が、受光信号が距離しきい値ｔｈ２以上となる距離なのか、受光信号が距離しきい値ｔｈ２未満となる距離なのかを判定することができる。
【０２０３】
本実施の形態における距離判定部９１は、近接用ｙ座標検出パターンの発光による受光信号および近接用ｘ座標検出パターンの発光による受光信号がともに距離しきい値ｔｈ２未満のときにＳ３＝「０」を出力し、それ以外ではＳ３＝「１」を出力するが、例えば、少なくとも一方が距離しきい値ｔｈ２未満のときにＳ３＝「０」を出力し、それ以外ではＳ３＝「１」を出力するように構成してもよい。
【０２０４】
なお、本実施の形態では、受光しきい値ｔｈ１は、電子ペン５０を遠隔使用するときに電子ペン５０がパネル１０から約８ｍ離れていても位置座標の算出が行えるように設定し、距離しきい値ｔｈ２は、電子ペン５０がパネル１０から２ｍ以上離れたときにＳ３＝「０」となるように設定する。しかし、本発明は各しきい値が何らこれらの数値に限定されるものではなく、各数値は、画像表示システム１００の仕様等に応じて適切に設定すればよい。
【０２０５】
送信部５８は、受光素子５２、５４から出力される受光信号にもとづく送信信号を出力する。送信部５８は、電気信号をエンコードし、エンコード後の信号を例えば赤外線等の無線信号に変換して発信する発信回路を有する（図示せず）。そして、電子ペン５０に個別に付与されている固有の識別番号（ＩＤ）、電子ペン５０の描画モードＳ０（例えば描画に用いる線の色、線の太さ、線の種類、等）、接触スイッチ５３の状態Ｓ１、手動スイッチ８３の状態Ｓ１’、アタッチメント検出スイッチ８６の状態Ｓ２、電子ペン５０からパネル１０までの距離の判定結果Ｓ３、リセット信号、座標算出部５７が算出した電子ペン５０の位置座標（ｘ，ｙ）を表す信号等をそれぞれエンコードした後に無線信号に変換する。この無線信号が送信信号である。そして、この無線信号を描画装置４０の受信部４２に無線送信する。
【０２０６】
次に、描画装置４０について説明する。
【０２０７】
描画装置４０は、電子ペン５０の座標算出部５７が算出した位置座標（ｘ，ｙ）および描画モードＳ０等にもとづく描画信号を作成し、画像表示装置３０に出力する。この描画信号は、使用者が手書き入力した画像や、ポインタとして使用するカーソルをパネル１０に表示するための信号であり、画像信号と実質的に同じものである。
【０２０８】
図１に示したように、描画装置４０は、受信部４２と描画部４６を備えている。
【０２０９】
受信部４２は、電子ペン５０の送信部５８から無線送信される無線信号を受信し、その受信信号をデコードして電気信号に変換する変換回路を有する（図１には示さず）。そして、送信部５８から無線送信される無線信号を、電子ペン５０の識別番号（ＩＤ）、描画モードＳ０、状態Ｓ１、Ｓ１’、Ｓ２、判定結果Ｓ３、リセット信号、位置座標（ｘ，ｙ）を表す信号に変換して描画部４６に出力する。電子ペン５０が複数のときは、各電子ペン５０から送信されてくる各信号をそれぞれ受信してデコードする。
【０２１０】
なお、電子ペン５０の描画モードＳ０、状態Ｓ１、Ｓ１’、Ｓ２、判定結果Ｓ３、位置座標（ｘ，ｙ）を表す信号は時間ｔによって変化する変数であるため、以下、受信部４２から出力される各信号を、描画モードＳ０（ｔ）、状態Ｓ１（ｔ）、状態Ｓ１’（ｔ）、状態Ｓ２（ｔ）、判定結果Ｓ３（ｔ）、位置座標（ｘ（ｔ），ｙ（ｔ））と記す。
【０２１１】
描画部４６は、画像メモリ４７を備える。そして、描画部４６は、座標算出部５７が算出した位置座標（ｘ（ｔ），ｙ（ｔ））に対応する画素を中心に、描画モードＳ０（ｔ）に応じた色および大きさの描画パターン（例えば、白色の丸等のパターン）の描画信号を作成し、画像メモリ４７に書込む。
【０２１２】
描画部４６は、状態Ｓ１（ｔ）＝１（接触スイッチ５３がオンの状態）、または状態Ｓ２（ｔ）＝１かつ状態Ｓ１’（ｔ）＝１（アタッチメント８０が電子ペン５０に装着され、かつ描画用の手動スイッチ８３がオンの状態）のときには、作成した描画信号を画像メモリ４７に蓄積する。したがって、これらの状態が維持されている期間は、電子ペン５０の過去の位置座標の軌跡に現在の電子ペン５０の位置座標が加えられた描画信号が画像メモリ４７に蓄積される。
【０２１３】
また、描画部４６は、状態Ｓ１（ｔ）＝０（接触スイッチ５３がオフの状態）、または状態Ｓ２（ｔ）＝１かつ状態Ｓ１’（ｔ）＝０（アタッチメント８０が電子ペン５０に装着され、かつ描画用の手動スイッチ８３がオフの状態）のときには、１フィールド前の位置座標（ｘ（ｔ−１），ｙ（ｔ−１））に対応する描画信号を画像メモリ４７から消去する。したがって、これらの状態が維持されている期間に画像メモリ４７に蓄積される描画信号は、接触スイッチ５３がオンの状態であったとき、またはアタッチメント８０が電子ペン５０に装着され、かつ描画用の手動スイッチ８３がオンの状態であったときの電子ペン５０の位置座標の過去の軌跡と、電子ペン５０の現在の位置座標を表す信号（ポインタ機能）になる。
【０２１４】
また、描画部４６は、状態Ｓ１（ｔ）＝０かつ状態Ｓ２（ｔ）＝０（接触スイッチ５３がオフの状態であり、アタッチメント８０が電子ペン５０に装着されていない）、かつ描画消去用のスイッチ（図示せず）がオンの状態のときには、画像メモリ４７に蓄積されている描画信号を、受光素子５４の受光信号から算出した位置座標（ｘ（ｔ），ｙ（ｔ））にもとづき画像メモリ４７から消去する（消去機能）。
【０２１５】
画像表示システム１００で使用されている電子ペン５０の数が複数であれば、描画部４６は、各電子ペン５０の軌跡が互いに混同しないように位置座標（ｘ（ｔ），ｙ（ｔ））を互いに区別して、各電子ペン５０に対して上述の動作を行う。
【０２１６】
そして、描画部４６は、画像メモリ４７に蓄積された描画信号を画像表示装置３０に出力する。
【０２１７】
次に、電子ペン５０およびアタッチメント８０について、図１０を用いて説明する。
【０２１８】
図１０は、本発明の実施の形態１における電子ペン５０および電子ペン用アタッチメント８０の外観を示す斜視図である。
【０２１９】
図１０に示すように、電子ペン５０は、筒型の本体ケース６０、近接側ペン先カバー６１、遠隔側ペン先カバー６２、近接側ペン先部６４、および遠隔側ペン先部６５を有する。
【０２２０】
図１０に示すように、遠隔側ペン先カバー６２には、アタッチメント８０を固定するためのリム６３が設けてある。
【０２２１】
アタッチメント８０は、筒型の形状をし内部に空間を有する胴体部８７を筐体とし、胴体部８７の一方の端部に保持された集光レンズ８４を有する。また、胴体部８７の他方の端部には、空間につながる開口部（図示せず）を有する。そして、胴体部８７の他方の端部に設けた開口部に電子ペン５０が挿入されることで、アタッチメント８０は電子ペン５０に装着される。胴体部８７の他方の端部には、筒内に、リム６３と嵌合するフランジが設けてある。そして、フランジとリム６３が嵌合するようにアタッチメント８０を電子ペン５０に装着することで、アタッチメント８０は電子ペン５０の遠隔側の端部に固定される。アタッチメント８０を電子ペン５０に装着すると、受光素子５４は、アタッチメント８０の内部の空間に位置する。また、集光レンズ８４の前面側（光を取込む側）には上述したカラーフィルタ８８が設けてある。したがって、胴体部８７の一方の端部から入ってくる可視光は、集光レンズ８４およびカラーフィルタ８８を透過する。
【０２２２】
アタッチメント８０は、電子ペン５０に装着されたときに、集光レンズ８４の光軸上の焦点距離に受光素子５４が位置するように、アタッチメント８０の本体の長さ、集光レンズ８４の設置位置、および集光レンズ８４の焦点距離が設定されている。
【０２２３】
そして、アタッチメント８０を装着した電子ペン５０の遠隔側端部（遠隔側の光軸）をパネル１０の方向に向けることで、パネル１０に生じる発光は、アタッチメント８０のカラーフィルタ８８、集光レンズ８４および受光孔６８を通って受光素子５４に届く。このとき、所定の色（例えば、青）の可視光は、他の色（例えば、赤や緑等）の可視光よりも高い透過率でカラーフィルタ８８を透過するので、相対的に高い輝度で受光素子５４に受光される。
【０２２４】
なお、図１０には示していないが、電子ペン５０は、アタッチメント８０を電子ペン５０に装着したときにオンとなってＳ２＝「１」を出力し、アタッチメント８０が電子ペン５０に装着されていなければオフとなってＳ２＝「０」を出力するアタッチメント検出スイッチを備えている。
【０２２５】
本体ケース６０には、図１０に示すように、本体ケース６０上面側に、電源スイッチ８１、電源スイッチ８１と一体に設けられたパイロットランプ８２、複数の押し込み型の手動スイッチ８３が設けられている。また、本体ケース６０背面側の遠隔側端部近傍に、押し込み型のアタッチメント検出スイッチと、転がり防止用のリブが設けられている。
【０２２６】
次に、本実施の形態における画像表示システム１００の動作について説明する。
【０２２７】
図１１は、本発明の実施の形態１における画像表示システム１００において電子ペン５０を遠隔使用するときの動作の一例を概略的に示す図である。
【０２２８】
図１１に示すように、遠隔用ｙ座標検出サブフィールドＳＦｙ２のｙ座標検出期間Ｐｙ２では、画像表示領域の上端部（１行目）から下端部（ｎ行目）まで順次移動する第３の発光線Ｌｙ２がパネル１０に表示される。また、遠隔用ｘ座標検出サブフィールドＳＦｘ２のｘ座標検出期間Ｐｘ２では、画像表示領域の左端部（１列目の画素列）から右端部（ｍ／３列目の画素列）まで順次移動する第４の発光線Ｌｘ２がパネル１０に表示される。
【０２２９】
したがって、電子ペン５０の遠隔側端部に装着したアタッチメント８０の光軸がパネル１０の画像表示面の「座標（ｘ，ｙ）」に向いていれば、第３の発光線Ｌｙ２が座標（ｘ，ｙ）を通過する時刻ｔｙｙ２と、第４の発光線Ｌｘ２が座標（ｘ，ｙ）を通過する時刻ｔｘｘ２において、受光素子５４は発光を受光する。
【０２３０】
これにより、電子ペン５０は、図９に示したように、受光素子５４が第３の発光線Ｌｙ２の発光を受光したことを示す受光信号を時刻ｔｙｙ２において出力し、受光素子５４が第４の発光線Ｌｘ２の発光を受光したことを示す受光信号を時刻ｔｘｘ２において出力する。
【０２３１】
そして、座標算出部５７は、上述した手法により、画像表示領域における電子ペン５０の位置座標（ｘ，ｙ）を算出する。
【０２３２】
描画部４６は、座標算出部５７が算出した位置座標（ｘ（ｔ），ｙ（ｔ））に対応する画素を中心に、描画モードＳ０（ｔ）に応じた色および大きさの描画パターン（例えば、白色の丸等のパターン）の描画信号を発生する。この描画信号は描画部４６の画像メモリ４７に順次書込まれ、状態Ｓ１（ｔ）＝１（接触スイッチ５３がオンの状態）、または状態Ｓ２（ｔ）＝１かつ状態Ｓ１’（ｔ）＝１（アタッチメント８０が電子ペン５０に装着され、かつ描画用の手動スイッチ８３がオンの状態）の期間の描画信号は画像メモリ４７に蓄積される。そして、画像表示装置３０は、描画部４６の画像メモリ４７に蓄積された描画信号にもとづく画像をパネル１０に表示する。
【０２３３】
したがって、使用者が電子ペン５０を遠隔使用する時には、描画用の手動スイッチ８３をオンにしたまま電子ペン５０の位置座標を移動させると、その移動の軌跡を示す図柄がパネル１０に表示される。
【０２３４】
図１２は、本発明の実施の形態２における電子ペン５０を遠隔使用するときの電子ペン５０の受光範囲の一例を概略的に示す図である。なお、図１２では、受光範囲を破線で示しているが、この破線がパネル１０上に表示されるわけではない。
【０２３５】
図１２に示すように、電子ペン５０の受光範囲は、電子ペン５０からパネル１０までの距離が近くなれば狭くなり、遠くなれば広くなる。
【０２３６】
電子ペン５０の受光範囲が広くなると、太陽光や照明光の反射光等、位置座標算出時に誤動作の一因となる不要な可視光が受光範囲内に含まれる確率が相対的に高くなる。しかし、本実施の形態における電子ペン５０では、カラーフィルタ８８を透過した可視光が受光素子５４で受光される。そして、カラーフィルタ８８は、上述したように、位置座標算出に不要な可視光の大部分（例えば、約９４％）を遮りつつ、位置座標算出に必要な所定の色（例えば、青）の放電セルが発する可視光の大部分（例えば、約７０％）を透過する。
【０２３７】
したがって、電子ペン５０では、位置座標の算出を、誤動作を低減して安定に行うことができる。
【０２３８】
なお、本実施の形態では、集光レンズ８４の前面側（光を取込む側）にカラーフィルタ８８を設ける例を説明したが、カラーフィルタ８８を設ける手段としては、例えば、着色したフィルムを集光レンズ８４の前面側に貼り付ける、集光レンズ８４の前面側に塗料を塗布する、等を挙げることができる。しかし、本実施の形態は、カラーフィルタ８８を設ける手段が何らこれらの手段に限定されるものではない。
【０２３９】
また、カラーフィルタ８８を設ける位置も、何ら集光レンズ８４の前面側に限定されるものではない。本実施の形態では、カラーフィルタを透過した可視光が受光素子５４で受光されるようにカラーフィルタを設ければよい。例えば、集光レンズ８４の背面側にカラーフィルタを設けてもよく、集光レンズ８４から離れた前方または後方にカラーフィルタを設けてもよい。あるいは、集光レンズ８４を着色し、集光レンズ８４がカラーフィルタとしての機能を備える構成であってもよい。また、カラーフィルタを設ける場所も何らアタッチメント８０に限定されるものではなく、例えば、受光素子５４の直前にカラーフィルタを設けたり、受光素子５４をカラーフィルタで覆ったりしてもよい。また、受光素子５２に関しても、上述と同様に、カラーフィルタを透過した可視光が受光素子５２で受光されるように構成してもよい。
【０２４０】
以上説明したように、本実施の形態における電子ペン５０は、カラーフィルタ８８を透過させた可視光を受光して受光信号を発生するので、電子ペン５０の受光範囲に入り込んだ太陽光や照明光等の反射光を遮りつつ、位置座標算出に必要な所定の色（例えば、青）の放電セルが発する可視光を透過する。これにより電子ペン５０は、位置座標の算出を、誤動作を低減して安定に行うことができる。
【０２４１】
（実施の形態２）
実施の形態１で説明したように、カラーフィルタ８８においては、所定の色（例えば、青）の放電セルが発する所定の色の可視光の透過率は相対的に高く、他の色（例えば、赤、緑）の放電セルが発する可視光の透過率は相対的に低い。したがって、座標検出サブフィールドでは、所定の色（例えば、青）の放電セルに位置座標検出用の発光が生じさえすれば、他の色（例えば、赤、緑）の放電セルに位置座標検出用の発光が生じなくとも、電子ペン５０の位置座標算出動作に大きな支障はない。また、座標検出サブフィールドで発光する放電セルの数が減少すれば、座標検出サブフィールドの期間のパネル１０の輝度が低下してコントラストが向上するという効果を得ることができる。
【０２４２】
本実施の形態２では、同期検出サブフィールドＳＦｏ２において、所定の色（例えば、青）の放電セルだけに書込み動作を行い、所定の色の放電セルだけに同期検出用の発光を生じさせる例を説明する。なお、本実施の形態では、実施の形態１と同様の構成、動作については説明を省略する。
【０２４３】
本実施の形態の画像表示システムにおいて、画像表示装置、描画装置、電子ペン、アタッチメントは、実施の形態１と同様の構成、動作であるので説明を省略する。
【０２４４】
図１３は、本発明の実施の形態２における座標検出サブフィールにおいてパネル１０の各電極に印加する駆動電圧波形の一例を概略的に示す図である。
【０２４５】
本実施の形態において、１フィールドに含まれるサブフィールドの種類および数は実施の形態１と同様であり、各サブフィールドで発生する駆動電圧波形も、同期検出サブフィールドＳＦｏ２の書込み期間Ｐｗｏ２における書込み動作が異なる以外は実施の形態１と同様である。
【０２４６】
本実施の形態において同期検出サブフィールドＳＦｏ２は、初期化期間Ｐｉｏ、書込み期間Ｐｗｏ２、同期検出期間Ｐｏを有する。
【０２４７】
図１３に示す初期化期間Ｐｉｏは、実施の形態１に示した同期検出サブフィールドＳＦｏの初期化期間Ｐｉｏと同様の構成、動作であるので説明を省略する。
【０２４８】
図１３に示す書込み期間Ｐｗｏ２では、実施の形態１に示した同期検出サブフィールドＳＦｏの書込み期間Ｐｗｏとほぼ同様の動作をする。ただし、書込みパルスを印加するデータ電極２２が実施の形態１に示した書込み期間Ｐｗｏとは異なる。
【０２４９】
書込み期間Ｐｗｏ２では、所定の色（例えば、青）の放電セルに対応するデータ電極２２（例えば、データ電極Ｄ３、Ｄ６、Ｄ９、・・・、Ｄｍ）だけに電圧Ｖｄの書込みパルスを印加する。他のデータ電極２２（例えば、赤および緑の放電セルに対応するデータ電極２２）には書込みパルスを印加せず電圧０（Ｖ）を印加する。
【０２５０】
そして、それらのデータ電極２２に書込みパルスを印加したまま、電圧Ｖａの走査パルスを走査電極ＳＣ１から走査電極ＳＣｎまで順次印加する。これにより、書込み期間Ｐｗｏ２では、青の放電セルだけに書込み放電が発生する。
【０２５１】
図１３に示す同期検出期間Ｐｏでは、実施の形態１に示した同期検出サブフィールドＳＦｏの同期検出期間Ｐｏと同様の駆動電圧波形を各電極に印加する。
【０２５２】
書込み期間Ｐｗｏ２では、所定の色（例えば、青）の放電セルだけに書込み放電が発生するので、この同期検出期間Ｐｏでは、所定の色（例えば、青）の放電セルだけに４回の同期検出放電が発生し、他の色（例えば、赤、緑）の放電セルには同期検出放電は発生しない。これにより、パネル１０の画像表示領域が所定の色（例えば、青）で４回発光する。
【０２５３】
続く近接用ｙ座標検出サブフィールドＳＦｙ１、近接用ｘ座標検出サブフィールドＳＦｘ１、遠隔用ｙ座標検出サブフィールドＳＦｙ２、および遠隔用ｘ座標検出サブフィールドＳＦｘ２は、実施の形態１に示した近接用ｙ座標検出サブフィールドＳＦｙ１、近接用ｘ座標検出サブフィールドＳＦｘ１、遠隔用ｙ座標検出サブフィールドＳＦｙ２、および遠隔用ｘ座標検出サブフィールドＳＦｘ２と同様であるので説明を省略する。
【０２５４】
カラーフィルタ８８では、所定の色（例えば、青）の放電セルが発する所定の色の可視光を相対的に高い透過率（例えば、約７０％）で透過するので、パネル１０に４回生じる所定の色（例えば、青）の同期検出用発光は、カラーフィルタ８８を（例えば、約７０％の透過率で）透過する。そして、受光素子５４は、カラーフィルタ８８を透過した同期検出用発光を受光して、受光信号を出力する。
【０２５５】
したがって、電子ペン５０では、この受光信号にもとづき、実施の形態１と同様の位置座標算出動作を行うことができる。
【０２５６】
また、同期検出サブフィールドＳＦｏ２では、他の色（例えば、赤、緑）の放電セルに同期検出放電が発生しないので、実施の形態１に示した同期検出サブフィールドＳＦｏと比較して、同期検出サブフィールドＳＦｏ２の期間のパネル１０の輝度が低減し、パネル１０のコントラストが向上する。
【０２５７】
以上示したように、本実施の形態では、カラーフィルタ８８における透過率が相対的に高い所定の色を発光する放電セルだけに同期検出用の発光を生じさせる。これにより、電子ペン５０の位置座標算出動作に大きな支障を生じさせることなく、パネル１０のコントラストを向上させることができる。
【０２５８】
なお、図示はしないが、遠隔用ｙ座標検出サブフィールドＳＦｙ２において、所定の色（例えば、青）の放電セルに対応するデータ電極２２（例えば、データ電極Ｄ３、Ｄ６、Ｄ９、・・・、Ｄｍ）だけにｙ座標検出電圧Ｖｄｙを印加し、他のデータ電極２２には電圧０（Ｖ）を印加して、所定の色の放電セルだけにｙ座標検出パターンの発光を生じさせる構成としてもよい。これによっても、電子ペン５０の位置座標算出動作に大きな支障を生じさせることなく、パネル１０のコントラストを向上させることができる。
【０２５９】
また、遠隔用ｘ座標検出サブフィールドＳＦｘ２において、所定の色（例えば、青）の放電セルに対応するデータ電極２２（例えば、データ電極Ｄ３、Ｄ６、Ｄ９、・・・、Ｄｍ）だけにｘ座標検出パルスを順次印加し、他のデータ電極２２には電圧０（Ｖ）を印加して、所定の色の放電セルだけにｘ座標検出パターンの発光を生じさせる構成としてもよい。これによっても、電子ペン５０の位置座標算出動作に大きな支障を生じさせることなく、パネル１０のコントラストを向上させることができる。
【０２６０】
なお、本発明の実施の形態１および２において示した具体的な数値は、単に実施の形態における一例を示したものに過ぎず、本発明はこれらの数値に何ら限定されるものではない。各数値は電子ペンや画像表示システムの仕様等にあわせて最適に設定することが望ましい。
【産業上の利用可能性】
【０２６１】
本開示は、画像表示面から離れた位置から画像表示装置への入力が可能な電子ペンにおいて、太陽光や照明光の反射光等により生じる位置座標の誤算出等の誤動作を低減することができるので、電子ペンおよび電子ペンを備えた画像表示システムとして有用である。
【符号の説明】
【０２６２】
１０    パネル
１１    前面基板
１２    走査電極
１３    維持電極
１４    表示電極対
１５，２３    誘電体層
１６    保護層
２１    背面基板
２２    データ電極
２４    隔壁
２５，２５Ｒ，２５Ｇ，２５Ｂ    蛍光体層
３０    画像表示装置
３１    画像信号処理回路
３２    データ電極駆動回路
３３    走査電極駆動回路
３４    維持電極駆動回路
３５    タイミング発生回路
４０，１４０    描画装置
４２    受信部
４６，１４６    描画部
４７    画像メモリ
４８    座標変換部
５０    電子ペン
５２，５４    受光素子
５３    接触スイッチ
５６    同期検出部
５７    座標算出部
５８    送信部
６０    本体ケース
６１    近接側ペン先カバー
６２    遠隔側ペン先カバー
６３    リム
６４    近接側ペン先部
６５    遠隔側ペン先部
６８    受光孔
８０    電子ペン用アタッチメント
８１    電源スイッチ
８２    パイロットランプ
８３    手動スイッチ
８４    集光レンズ
８６    アタッチメント検出スイッチ
８７    胴体部
８８    カラーフィルタ
９１    距離判定部
１００，１１０    画像表示システム
１０１    カーソル
Ｌｙ１    第１の発光線
Ｌｘ１    第２の発光線
Ｌｙ２    第３の発光線
Ｌｘ２    第４の発光線
ＳＦ１〜ＳＦ８    画像表示サブフィールド
ＳＦｏ，ＳＦｏ２    同期検出サブフィールド
ＳＦｙ１    近接用ｙ座標検出サブフィールド
ＳＦｘ１    近接用ｘ座標検出サブフィールド
ＳＦｙ２    遠隔用ｙ座標検出サブフィールド
ＳＦｘ２    遠隔用ｘ座標検出サブフィールド
【図１】
2014235475.tif 000003
【図２】
2014235475.tif 000004
【図３】
2014235475.tif 000005
【図４】
2014235475.tif 000006
【図５】
2014235475.tif 000007
【図６】
2014235475.tif 000008
【図７】
2014235475.tif 000009
【図８】
2014235475.tif 000010
【図９】
2014235475.tif 000011
【図１１】
2014235475.tif 000012
【図１２】
2014235475.tif 000013
【図１３】
2014235475.tif 000014
【図１０】
2014235475.tif 000015